(57)【要約】【課題】後処理に必要なメタデータを，容易かつ迅速に抽出して，映像素材と同期させて表示できる映像編集装置等を提供すること。【解決手段】記憶媒体５２に記録されている映像信号を後処理する映像編集装置３が提供される。この映像編集装置３は，記憶媒体５２から，映像信号に関連するメタデータがフレーム単位で付加されている映像信号を再生し，再生された映像信号からメタデータをフレーム単位で抽出し，再生された映像信号と抽出されたメタデータとをフレーム単位で同期させて表示することができる。かかる構成により，再生された映像信号のフレーム毎に，当該映像信号に付加されているメタデータを順次，抽出することができる。このため，抽出されたメタデータと映像信号との整合性をとる必要がないので，メタデータを容易かつ迅速に抽出できる。また，当該映像信号のフレーム毎に上記抽出されたメタデータを表示できる。【選択図】  図１４
2004312281.tif 000002
【特許請求の範囲】
【請求項１】
記憶媒体に記録されている映像信号を後処理する映像編集装置であって：
前記記憶媒体から，前記映像信号に関連するメタデータがフレーム単位で付加されている前記映像信号を再生する，映像信号再生装置と；
前記再生された映像信号から，前記メタデータの少なくとも一部をフレーム単位で抽出する，メタデータ抽出部と；
前記再生された映像信号と，前記抽出されたメタデータとを，フレーム単位で同期させて表示する，表示部と；を備えることを特徴とする，映像編集装置。
【請求項２】
前記後処理は，前記再生された映像信号と，合成用映像信号とを合成する映像合成処理であることを特徴とする，請求項１に記載の映像編集装置。
【請求項３】
前記合成用映像信号は，コンピュータグラフィックス映像信号であることを特徴とする，請求項２に記載の映像編集装置。
【請求項４】
前記表示部は，前記再生された映像信号および前記抽出されたメタデータとともに，前記合成用映像信号および前記合成用映像信号に関連するメタデータを表示することを特徴とする，請求項２に記載の映像編集装置。
【請求項５】
前記後処理は，前記再生された映像信号を補正する映像補正処理であることを特徴とする，請求項１に記載の映像編集装置。
【請求項６】
前記映像信号に付加されている前記メタデータは，前記メタデータの利用目的に応じて，１または２以上のメタデータグループにグループ化されていることを特徴とする，請求項１に記載の映像編集装置。
【請求項７】
前記メタデータグループは，
前記映像信号を生成した撮像装置の設定情報を含むカメラ設定グループ，前記撮像装置が備えるレンズ装置の設定情報を含むレンズ設定グループ，または前記撮像装置が備えるドーリ装置の設定情報を含むドーリ設定グループの少なくともいずれかを含むことを特徴とする，請求項６に記載の映像編集装置。
【請求項８】
記憶媒体に記録されている映像信号を後処理する映像編集装置の処理方法であって：
前記記憶媒体から，前記映像信号に関連するメタデータがフレーム単位で付加されている前記映像信号を再生する，映像信号再生段階と；
前記再生された映像信号から，前記メタデータの少なくとも一部をフレーム単位で抽出する，メタデータ抽出段階と，
前記再生された映像信号と，前記抽出されたメタデータとを，フレーム単位で同期させて表示する，表示段階と；を含むことを特徴とする，映像編集装置の処理方法。
【請求項９】
前記後処理は，前記再生された映像信号と，合成用映像信号とを合成する映像合成処理であることを特徴とする，請求項８に記載の映像編集装置の処理方法。
【請求項１０】
前記合成用映像信号は，コンピュータグラフィック映像信号であることを特徴とする，請求項９に記載の映像編集装置の処理方法。
【請求項１１】
前記表示段階では，
前記再生された映像信号および前記抽出されたメタデータとともに，前記合成用映像信号および前記合成用映像信号に関するメタデータを同期させて表示することを特徴とする，請求項９に記載の映像編集装置の処理方法。
【請求項１２】
前記後処理は，前記再生された映像信号を補正する映像補正処理であることを特徴とする，請求項８に記載の映像編集装置の処理方法。
【請求項１３】
前記映像信号に付加されている前記メタデータは，前記メタデータの利用目的に応じて，１または２以上のメタデータグループにグループ化されていることを特徴とする，請求項８に記載の映像編集装置の処理方法。
【請求項１４】
前記メタデータグループは，
前記映像信号を生成した撮像装置の設定情報を含むカメラ設定グループ，前記撮像装置が備えるレンズ装置の設定情報を含むレンズ設定グループ，または前記撮像装置が備えるドーリ装置の設定情報を含むドーリ設定グループの少なくともいずれかを含むことを特徴とする，請求項１３に記載の映像編集装置の処理方法。
【発明の詳細な説明】
【０００１】
【発明の属する技術分野】
本発明は，映像信号の映像編集装置，映像編集装置の処理方法に関する。
【０００２】
【従来の技術】
近年，映画，ＴＶ番組などの映像作品の制作分野では，撮影した映像素材に関するメタデータの有効活用が進められている。この映像素材に関するメタデータは，例えば，映像作品のタイトル名，撮影日時，シーン番号などの映像素材の属性を表す情報や，撮影時における撮像装置やレンズ等の設定情報などである（例えば，特許文献１参照）。これらのメタデータは，撮影された映像素材を識別・管理する上で有用な情報であるとともに，映像素材の後処理段階におけるＣＧ（Ｃｏｍｐｕｔｅｒ  Ｇｒａｐｈｉｃｓ）合成処理やコンポジット処理などにも有効利用されている。
【０００３】
従来では，このようなメタデータは，磁気テープ等に記録された映像素材とは別に，パーソナルコンピュータ等の端末上で記録・管理されており，かかる映像素材とメタデータとのリンクは，映像撮影時のタイムコード等を双方に付与することによってなされていた。このため，かかるメタデータを利用して映像素材を後処理する場合には，当該端末等からタイムコード等を介して，対応するメタデータ（カメラやレンズの設定情報等）を読み出し，かかるメタデータを当該映像素材の画質，被写体の動き等を表す情報として後処理に利用していた。
【０００４】
【特許文献１】
特開平９−４６６２７号公報
【０００５】
【発明が解決しようとする課題】
しかしながら，上記従来のようなメタデータを利用した後処理方法では，映像素材とは別に記録・管理され，タイムコード等を介して映像素材に間接的にリンクされているメタデータを利用していた。
【０００６】
このため，メタデータを抽出する際には，タイムコード等により時間合わせをする必要があり，必要なメタデータの抽出・表示等が非効率的であるという問題があった。また，映像素材とは別に，メタデータを取り扱う必要があり，不便であるという問題もあった。
【０００７】
さらに，映像素材またはメタデータのいずれか一方が編集されている場合には，メタデータを映像素材と同期させて連続的に抽出・表示することができないという問題があった。また，映像素材が可変速撮影（フレームレートを変化させて撮影）されている場合には，映像素材のフレーム数とメタデータの記録数との間にずれが生じているので，映像素材に対応するメタデータを好適に抽出できないという問題があった。
【０００８】
本発明は，上記問題点に鑑みてなされたものであり，本発明の目的は，後処理に必要なメタデータを，容易かつ迅速に抽出して，映像素材と同期させて表示できるとともに，映像素材とメタデータを一体的に取り扱うことができ，編集処理や可変速撮影された映像素材にも柔軟に対応することが可能な，新規かつ改良された映像編集装置およびその処理方法を提供することにある。
【０００９】
【課題を解決するための手段】
上記課題を解決するため，本発明の第１の観点によれば，記憶媒体に記録されている映像信号を後処理する映像編集装置が提供される。この映像編集装置は，記憶媒体から，映像信号に関連するメタデータがフレーム単位で付加されている映像信号を再生する，映像信号再生装置と；再生された映像信号から，メタデータの少なくとも一部をフレーム単位で抽出する，メタデータ抽出部と；再生された映像信号と，抽出されたメタデータとを，フレーム単位で同期させて表示する，表示部と；を備える。
【００１０】
かかる構成により，映像編集装置の映像信号再生装置が再生する記憶媒体には，映像素材のコンテンツである映像信号と，この映像信号にフレーム単位で付加されたメタデータとがともに記録されている。従って，映像編集装置は，映像信号とメタデータとを一体的に取り扱うことができる。また，映像信号再生装置は，この記録媒体に記録されている映像信号を再生して，メタデータ抽出部に出力することができる。メタデータ抽出部は，再生された映像信号のフレーム毎に，当該映像信号に付加されているメタデータを順次，抽出することができる。このため，抽出されたメタデータと映像信号との整合性をとる必要がないので，メタデータ抽出部は，当該映像信号の各フレームに対応するメタデータを容易かつ迅速に抽出できる。また，メタデータ抽出部は，当該映像信号に付加されている全てのメタデータを抽出するのではなく，後処理の内容に応じて必要なメタデータのみを抽出できる。また，表示部は，当該映像信号のフレーム毎に，上記抽出されたメタデータを表示できる。これにより，映像編集装置のオペレータは，表示部に当該映像信号とともに表示されたメタデータを閲覧しながら，当該映像信号の後処理を好適に行うことができる。
【００１１】
また，上記後処理は，再生された映像信号と，合成用映像信号とを合成する映像合成処理である，ように構成してもよい。また，上記合成用映像信号は，コンピュータグラフィックス映像信号である，ように構成してもよい。
【００１２】
また，上記表示部は，再生された映像信号および抽出されたメタデータとともに，合成用映像信号および合成用映像信号に関連するメタデータを表示する，ように構成してもよい。かかる構成により，オペレータは，記憶媒体から再生された映像信号と，合成用映像信号の映像自体をフレーム毎に見比べることができるだけでなく，双方の映像信号に対応するメタデータをフレーム毎に見比べることができる。
【００１３】
また，上記後処理は，再生された映像信号を補正する映像補正処理である，ように構成してもよい。
【００１４】
また，上記映像信号に付加されているメタデータは，メタデータの利用目的に応じて，１または２以上のメタデータグループにグループ化されている，ように構成してもよい。かかる構成により，メタデータ抽出部は，メタデータグループ単位でメタデータを抽出することができる。
【００１５】
さらに，上記メタデータ抽出部は，後処理の内容に応じた１または２以上のメタデータグループを抽出する，ように構成してもよい。かかる構成により，メタデータ抽出部は，後処理の内容に応じて必要なメタデータグループのみを抽出して，表示できる。
【００１６】
また，上記メタデータグループは，映像信号を生成した撮像装置の設定情報を含むカメラ設定グループ，撮像装置が備えるレンズ装置の設定情報を含むレンズ設定グループ，または撮像装置が備えるドーリ装置の設定情報を含むドーリ設定グループの少なくともいずれかを含，ように構成してもよい。かかる構成により，また，カメラ設定グループのメタデータは，例えば，撮影された映像の画質等を表す情報として機能することができる。また，レンズ設定グループおよびドーリ設定グループのメタデータは，例えば，撮影された映像内に現れる被写体等の動き，距離等を表す情報として機能することができる。
【００１７】
また，上記映像信号に付加されるメタデータグループには，固有のグループ識別情報が付与されており，メタデータ抽出部は，グループ識別情報に基づいて，後処理の内容に応じた１または２以上のメタデータグループを抽出する，ように構成してもよい。かかる構成により，メタデータ抽出部は，グループ識別情報に基づいて，いずれのメタデータグループであるかを識別することができるので，メタデータグループ単位での抽出処理を迅速に行うことができる。
【００１８】
また，上記映像信号に付加されるメタデータグループには，メタデータグループのデータ量情報が付与されており，メタデータ抽出部は，データ量情報に基づいて，後処理の内容に応じた１または２以上のメタデータグループを抽出する，ように構成してもよい。かかる構成により，メタデータ抽出部は，あるメタデータグループのメタデータの抽出処理を実行するに際し，データ量情報に基づいて，予め，当該メタデータグループ内のメタデータ量を把握することができる。このため，メタデータ抽出部は，メタデータグループ単位での抽出処理を迅速に行うことができる。
【００１９】
また，上記記憶媒体に記録されている映像信号は，フレームレートが変化している，ように構成してもよい。かかる構成により，記憶媒体に記録されている映像信号のフレームレートが変化している場合であっても，当該映像信号のフレーム毎にメタデータが付加されているので，映像信号とメタデータの対応関係が崩れることがない。このため，メタデータ抽出部は，映像信号とメタデータの整合性をとらずとも，当該映像信号からメタデータを好適にフレーム単位で抽出できる。
【００２０】
また，上記課題を解決するため，本発明の別の観点によれば，記憶媒体に記録されている映像信号を後処理する映像編集装置の処理方法が提供される。この映像編集装置の処理方法は，記憶媒体から，映像信号に関連するメタデータがフレーム単位で付加されている映像信号を再生する，映像信号再生段階と；再生された映像信号から，メタデータの少なくとも一部をフレーム単位で抽出する，メタデータ抽出段階と；再生された映像信号と，抽出されたメタデータとを，フレーム単位で同期させて表示する，表示段階と；を含む。
【００２１】
また，上記後処理は，再生された映像信号と，合成用映像信号とを合成する映像合成処理である，ようにしてもよい。また，上記合成用映像信号は，コンピュータグラフィック映像信号である，ようにしてもよい。
【００２２】
また，上記表示段階では，再生された映像信号および抽出されたメタデータとともに，合成用映像信号および合成用映像信号に関するメタデータを同期させて表示する，ようにしてもよい。
【００２３】
また，上記後処理は，再生された映像信号を補正する映像補正処理である，ようにしてもよい。
【００２４】
また，上記映像信号に付加されているメタデータは，メタデータの利用目的に応じて，１または２以上のメタデータグループにグループ化されている，ようにしてもよい。また，上記メタデータ抽出段階では，後処理の内容に応じた１または２以上のメタデータグループを抽出する，ようにしてもよい。
【００２５】
また，上記メタデータグループは，映像信号を生成した撮像装置の設定情報を含むカメラ設定グループ，撮像装置が備えるレンズ装置の設定情報を含むレンズ設定グループ，または撮像装置が備えるドーリ装置の設定情報を含むドーリ設定グループの少なくともいずれかを含，ようにしてもよい。
【００２６】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２７】
（第１の実施の形態）
以下に，本発明の第１の実施の形態にかかる映像編集装置およびその処理方法について説明する。以下では，まず，本実施形態にかかる映像編集装置が取り扱う映像信号を記憶媒体に記録する映像記録システム等について説明し，次いで，本実施形態にかかる映像編集装置について詳細に説明することとする。
【００２８】
＜１  映像記録システム＞
まず，本実施形態にかかる映像記録システムおよび映像記録方法について説明する。
【００２９】
＜１．１  システム構成＞
まず，本実施形態にかかる映像記録システムの概要について説明する。本実施形態にかかる映像記録システムは，例えば，テレビ放送局や，ビデオコンテンツ，映画等の制作会社などが，ＴＶ番組，ビデオコンテンツ，映画などの映像作品を制作するためのシステムである。この映像記録システムは，例えば，撮影現場（撮影スタジオ，ロケ現場等）に設けられ，映像作品を構成する映像素材の映像コンテンツデータを撮影・収録することができる。この映像コンテンツデータは，例えば，映像データ及び／又は音声データから構成されるコンテンツデータである。このうち映像データは，一般的には，例えば，動画像データであるが，図画，写真または絵画などの静止画像データを含むようにしてもよい。
【００３０】
さらに，この映像記録システムは，例えば，撮影した映像素材に関連する各種のメタデータを生成することができる。さらに，映像記録システムは，かかるメタデータをグループ化した上で，映像素材を構成する映像信号に対してフレームごとに付加して，映像信号とともに記憶媒体に記録することができる。なお，このメタデータは，例えば，上記映像素材の概要，属性または撮影機器の設定等を表す上位データであり，映像素材のインデックス情報や，撮影条件等を特定する情報などとして機能するが，詳細については後述する。
【００３１】
次に，図１に基づいて，本実施形態にかかる映像記録システムの全体構成について説明する。なお，図１は，本実施形態にかかる映像記録システム１の概略的な構成を示すブロック図である。
【００３２】
図１に示すように，本実施形態にかかる映像記録システム１は，例えば，撮像装置１０と，集音装置１８と，カメラコントロールユニット（以下では，ＣＣＵという。）２０と，メタデータ入力用端末装置３０と，メタデータ付加装置４０と，ビデオテープレコーダ（以下では，ＶＴＲという。）５０と，メタデータ合成装置６０と，表示装置７０と，から主に構成されている。
【００３３】
撮像装置１０は，例えば，レンズ装置１２に入射した光学像を電気信号に変換するビデオカメラなどであり，被写体を撮像して映像信号を生成・出力することができる。この撮像装置１０は，映像作品を構成する各場面（シーン）を撮影し，生成した映像信号を，例えばＣＣＵ２０に出力することができる。この映像信号は，例えば，プログレッシブ方式またはインターレース方式のいずれの方式で生成されてもよい。
【００３４】
なお，本実施形態では，撮像装置１０からＣＣＵ２０への映像信号の伝送は，例えば光ファイバケーブル等を介して光信号としてなされる。このように光信号として映像信号を伝送することにより，ＨＤ  ＳＤＩ（Ｈｉｇｈ  Ｄｅｆｉｎｉｔｉｏｎ  Ｓｉｒｉａｌ  Ｄｉｇｉｔａｌ  Ｉｎｔｅｒｆａｃｅ）形式で伝送する場合（例えば５０ｍ程度）と比べて，長距離伝送（例えば１ｋｍ程度）が可能になる。このため，撮像装置１０と，ＣＣＵ２０およびＶＴＲ５０等とを十分に離隔して配設することができるので，撮影の自由度が高まる。しかし，かかる例に限定されず，撮像装置１０は，例えば，ＨＤ  ＳＤＩケーブル等で映像信号を伝送してもよい。この場合には，例えば，ＣＣＵ２０を設けずに，撮像装置１０からメタデータ付加装置４０に直接，映像信号を伝送してもよい。
【００３５】
また，撮像装置１０は，例えば，上記撮影時における，撮像装置１０内の各種の設定情報（シャッタスピード，ゲイン等の撮影条件情報）を収集し，これらの設定情報を基にカメラ設定メタデータを生成することができる。さらに，撮像装置１０は，例えば，このカメラ設定メタデータをカメラ設定グループとしてグループ化してパッキングした上で，上記映像信号の１フレーム毎に付加することができるが，詳細については後述する。
【００３６】
また，かかる撮像装置１０は，例えば，レンズ装置１２と，ドーリ装置１４とを具備している。
【００３７】
レンズ装置１２は，例えば，複数枚のレンズと，これらレンズの距離，絞り等を調整する駆動装置とから構成されており，ズーム，アイリス，フォーカス等を調整して，撮像装置１０本体に好適な光学像を入射させることができる。このレンズ装置１２は，例えば，撮影時におけるレンズ装置１２内の各種の設定情報（ズーム，アイリス，フォーカス等の撮影条件情報）を，レンズ設定メタデータとして１フレーム毎に生成することができる。
【００３８】
ドーリ（ｄｏｌｌｙ）装置１４は，撮像装置１０本体を載置して移動させるための台車であり，例えば，撮像装置１０を被写体に接近させたり遠ざけたりして撮影する場合や，移動する被写体とともに撮像装置１０を移動させて撮影する場合などに用いられる。このドーリ装置１４は，例えば，その下部に設けられた滑車をレール上に載置することにより，被写体等に沿って高速移動することができる。かかるドーリ装置１４は，例えば，撮影時におけるドーリ装置１４内の各種の設定情報（ドーリの位置，カメラの向き等の撮影条件情報）を，ドーリ設定メタデータとして１フレーム毎に生成することができる。なお，このドーリ装置１４は，必ずしも設けられなくてもよく，例えば，上方から撮影するためクレーン等に撮像装置１０を設置する場合や，カメラマンが撮像装置１０を担いで撮影する場合などには，不要である。
【００３９】
上記のようにして生成されたレンズ設定メタデータおよびドーリ設定メタデータは，例えば，ＲＳ−２３２Ｃケーブルなどを介してメタデータ付加装置４０に出力される。
【００４０】
集音装置１８は，例えば，マイクロフォンなどで構成されており，音声信号を生成・出力することができる。より詳細には，この集音装置１８は，上記撮像装置１０による撮影時における，背景音や俳優の発声音などの音声情報を集音して，音声信号を生成する。この音声信号は，例えばＶＴＲ５０に出力される。なお，この集音装置１８は，撮像装置１０が具備してもよい，
【００４１】
ＣＣＵ２０は，例えば，撮影装置１０から光信号として入力された映像信号を，ＨＤ  ＳＤＩ用の信号に変換して，ＨＤ  ＳＤＩケーブルを介してメタデータ付加装置４０に出力することができる。また，ＣＣＵ２０は，例えば，当該映像信号から光ファイバケーブル等を介してカメラ設定メタデータを取得することもできる。なお，このＣＣＵ２０は，必ずしも，撮像装置１０とは別体に構成された装置として設けられなくともよく，例えば，撮像装置１０に内蔵されてもよい。特に，例えば，撮像装置１０が映像信号を例えばＨＤ  ＳＤＩ形式で出力するように構成した場合には，このＣＣＵ２０は必須の装置ではない。
【００４２】
メタデータ入力用端末装置３０は，例えば，パーソナルコンピュータなどの情報処理装置及びその周辺装置などで構成されており，ユーザ入力に基づいて，シーン情報メタデータを生成することができる。このシーン情報メタデータは，例えば，撮像装置１０が撮影するシーンに関するメタデータであり，従来の撮影において電子カチンコ等に記載されていた情報（シーン番号，テイク番号等）などである。かかるメタデータ入力用端末装置３０は，例えば，ディレクタ等によってこれから撮影しようとするシーンのシーン番号等が入力されると，これに対応するシーン情報メタデータを生成し，ＲＳ−２３２Ｃケーブルなどを介してメタデータ付加装置４０に出力する。なお，カメラマンまたはディレクタ等は，このメタデータ入力用端末装置３０を利用して，例えば，映像素材の収録時におけるコメント（撮影状況のメモ書き等）を，シーン状況メタデータとして追加入力することもできる。
【００４３】
メタデータ付加装置４０は，本実施形態にかかる特徴的な装置であり，例えば，映像信号に対してフレーム単位で上記メタデータを付加することができる。より詳細には，メタデータ付加装置４０には，例えば，上記レンズ装置１２，ドーリ装置１４およびメタデータ入力用端末装置３０などから，それぞれ，レンズ設定メタデータ，ドーリ設定メタデータ，シーン情報メタデータなどが入力される。メタデータ付加装置４０は，例えば，これらのメタデータを，その利用目的ごとに，レンズ設定グループ，ドーリ設定グループ，シーン情報グループなどといった複数のメタデータグループにグループ化して，パッキングする。さらに，メタデータ付加装置４０は，例えば，このようにグループ化したレンズ設定グループ，ドーリ設定グループおよびシーン情報グループのメタデータを，ＣＣＵ２０から入力された映像信号のブランキング領域に１フレーム毎に順次，挿入して付加することができる。このようにして，全てのメタデータが付加された映像信号は，例えば，ＨＤ  ＳＤＩケーブル等を介してＶＴＲ５０に出力される。
【００４４】
なお，このメタデータ付加装置４０には，リファレンス信号生成装置７２からリファレンス信号（基準同期信号）が入力され，タイムコード信号生成装置７４からタイムコード信号（ＬＴＣ：ｌｉｎｅａｒ  Ｔｉｍｅ  Ｃｏｄｅ）が入力されている。また，かかるＬＴＣをＶＴＲ５０に出力することもできる。
【００４５】
ＶＴＲ５０は，本実施形態にかかる映像信号記録装置として構成されており，例えば，上記メタデータ付加装置４０から入力された映像信号や，集音装置１８から入力された音声信号を，ビデオテープ５２等の記憶媒体に記録することができる。また，このＶＴＲ５０は，ビデオテープ５２に記録されている映像信号等を再生することもできる。また，このＶＴＲ５０は，例えば，メタデータ付加装置４０から入力された映像信号をそのままメタデータ合成装置６０に出力する，あるいは，ビデオテープ５２から再生した映像信号をメタデータ合成装置６０に出力することができる。
【００４６】
なお，本実施形態では，記憶媒体としてビデオテープ５２を用いているが，かかる例に限定されず，例えば，各種の磁気テープ，磁気ディスク，光ディスク，メモリーカード等の任意の記憶媒体であってもよい。また，映像信号記録装置は，上記ＶＴＲ５０の例に限定されず，このような各種の記憶媒体に対応した装置（ディスク装置，各種リーダライタ等）に変更することもできる。
【００４７】
メタデータ合成装置６０は，例えば，上記のように映像信号に付加されているメタデータを抽出，デコードして，当該映像信号に合成するデコーダ装置である。より詳細には，このメタデータ合成装置６０は，例えば，ＶＴＲ５０から入力された映像信号に付加されているメタデータの全部または一部を，フレーム単位で抽出することができる。さらに，このメタデータ合成装置６０は，抽出したメタデータをデコードして映像データに書き換えた上で，当該映像信号にフレーム単位で合成することができる。この合成とは，例えば，上記映像信号と，メタデータの映像データとを，例えばフレーム単位で多重（スーパーインポーズ等）することをいう。
【００４８】
表示装置７０は，例えば，ＬＣＤ（Ｌｉｑｕｉｄ  Ｃｒｙｓｔａｌ  Ｄｉｓｐｌａｙ），ＣＲＴ（Ｃａｔｈｏｄｅ  Ｒａｙ  Ｔｕｂｅ）などのディスプレイ装置である。この表示装置７０は，上記メタデータ合成装置６０から上記メタデータが合成された映像信号が入力されると，当該メタデータがスーパーインポーズ等された映像を表示することができる。
【００４９】
＜１．２  メタデータの内容＞
次に，本実施形態にかかるグループ化されたメタデータについて詳細に説明する。本実施形態では，例えば，上記のような映像素材に関連する多様なメタデータを，その利用目的等に応じて，例えば４つのメタデータグループにグループ分けして，伝送，記録，管理している。以下では，これら４つのメタデータグループごとに，そのメタデータグループに含まれるメタデータの内容について詳細に説明する。
【００５０】
＜１．２．１  シーン情報グループ＞
まず，図２に基づいて，シーン情報グループに含まれるシーン情報メタデータについて，具体例を挙げながら詳細に説明する。なお，図２は，本実施形態にかかるシーン情報グループに含まれるシーン情報メタデータの具体例を示す説明図である。
【００５１】
図２に示すように，シーン情報グループに含まれるシーン情報メタデータは，例えば，従来，電子カチンコ（スレート）等に表示されていた「タイムコード」，「シーン番号」，「テイク番号」などの情報をはじめとする，撮像装置１０が撮影するシーンに関連する各種のメタデータである。
【００５２】
・「タイムコード」は，ＬＴＣなどに代表される時間，分，秒，フレーム番号等からなる時間情報である。従来では，この「タイムコード」は，例えば，ビデオテープ５２の音声トラックなどの長手方向に記録されていた。本実施形態では，この「タイムコード」は，タイムコード信号生成装置７４によって生成され，例えば，上記メタデータ付加装置によって映像信号のブランキング領域に１フレーム毎に付される。このタイムコードによって，映像信号の位置を特定することができる。この「タイムコード」のデータ量は例えば１６バイトである。
・「日付」は，撮影が行われた日付を表すテキスト情報であり，そのデータ量は例えば４バイトである。
・「映像作品題名」は，映像作品のタイトルを表すテキスト情報であり，そのデータ量は例えば３０バイトである。
・「撮影チーム番号」は，当該撮影を担当している撮影チーム（クルー）を特定するためのＩＤ番号などであり，そのデータ量は例えば２バイトである。
・「シーン番号」は，映像作品を構成する複数のシーン（Ｓｃｅｎｅ；撮影場面）のうち，撮影が行われているシーンを特定するための番号などであり，そのデータ量は例えば２バイトである。この「シーン番号」を参照することにより，撮影された映像素材が，映像作品中のいかなるシーンに相当するものであるかを識別できる。なお，例えば，シーンをさらに細分化したカットの番号を，シーン情報メタデータとして追加することもできる。
・「テイク番号」は，撮像装置１０による１回の記録開始から記録終了に至るまでの連続した映像単位であるテイク（Ｔａｋｅ）を特定するための番号であり，そのデータ量は例えば２バイトである。この「テイク番号」を参照することにより，記録されている映像信号が，いかなるシーンに属するいかなるテイクに相当するものであるかを識別できる。
・「ロール番号」は，上記テイクをさらに細分化した映像単位であるロール（Ｒｏｌｌ）を特定するための番号であり，そのデータ量は例えば２バイトである。
・「カメラマン」，「ディレクタ」，「プロデューサ」は，それぞれ，撮影を担当したカメラマン名，ディレクタ名，プロデューサ名を表すテキスト情報であり，これらのデータ量はそれぞれ例えば１６バイトである。
【００５３】
このように，シーン情報グループには，例えば，収録された映像の属性情報やインデックス情報となりうるメタデータが集められている。このシーン情報メタデータは，例えば，映像収録段階，後処理段階および編集段階などで，その映像素材のコンテンツを把握し，映像素材を識別，管理する上で有用な情報となる。
【００５４】
＜１．２．２  カメラ設定グループ＞
次に，図３に基づいて，カメラ設定グループに含まれるカメラ設定メタデータについて，具体例を挙げながら詳細に説明する。なお，図３は，本実施形態にかかるカメラ設定グループに含まれるカメラ設定メタデータの具体例を示す説明図である。
【００５５】
図３に示すように，カメラ設定グループに含まれるカメラ設定メタデータは，例えば，映像を撮影したときの撮像装置１０の設定情報をメインとする各種の撮影条件等を表すメタデータである。
【００５６】
・「カメラＩＤ」は，撮影処理を行った撮像装置１０を特定するためのシリアル番号（機器番号）であり，そのデータ量は例えば４バイトである。
・「ＣＨＵスイッチ  ＯＮ／ＯＦＦ」は，以下に説明するような，撮像装置１０の設定を標準設定から変化させているか否かを表すビット情報であり，そのデータ量は例えば１バイトである。
・「ＣＣＵ  ＩＤ」は，撮影処理を行ったＣＣＵ２０を特定するためのシリアル番号（機器番号）であり，そのデータ量は例えば４バイトである。
・「フィルタ設定」は，撮影時における撮像装置１０のフィルタの設定を表す情報であり，そのデータ量は例えば２バイトである。本実施形態では，例えば，撮像装置１０が５種類のフィルタを２重に備えており，このうち，どのフィルタを２つ組み合わせて撮影したかを表している。
・「シャッタスピード」は，撮影時における撮像装置１０のシャッタスピードの設置値を表す情報であり，そのデータ量は例えば１バイトである。本実施形態では，この「シャッタスピード」は，例えば，「１／１００」〜「１／２０００」秒の間で，６段階に設定可能である。
・「ゲイン」は，撮影時における撮像装置１０のゲインの設置値を表す情報であり，そのデータ量は例えば１バイトである。
・「ＥＣＳ」は，撮影時における撮像装置１０のＥＣＳ（Ｅｘｔｅｎｄｅｄ  Ｃｌｅａｒ  Ｓｃａｎ）機能のＯＮ／ＯＦＦを表す情報であり，そのデータ量は例えば２バイトである。
・「ガンマ（マスター）」は，撮影時における撮像装置１０のガンマ特性（ガンマカーブ等）の設定を表す情報であり，そのデータ量は例えば２バイトである。・「ガンマ（ユーザ設定）」は，ユーザ設定によりガンマカーブ等を変化させた場合のガンマ特性の設定を表す情報であり，そのデータ量は例えば１バイトである。
・「バリアブルフレームレート」は，可変速撮影可能な撮像装置１０によって撮影された映像信号のフレームレート設定値を表す情報であり，そのデータ量は例えば１バイトである。本実施形態にかかる撮像装置１０は，例えば，２３．９８〜３０Ｐでフレームレートを変化させて撮影可能であるが，かかる例に限定されず，例えば１〜６０Ｐで可変速撮影できるように構成してもよい。
・「映像信号  白レベル」は，撮影時における撮像装置１０のホワイトバランス調整処理による映像信号の白レベル設定値を表す情報であり，そのデータ量は例えば６バイトである。
・「映像信号  黒レベル」は，撮影時における撮像装置１０のブラックバランス調整処理による映像信号の黒レベルの設定値を表す情報であり，そのデータ量は例えば８バイトである。
・「ディテールレベル」は，撮影時における撮像装置１０のディテール調整処理によるディテールレベルの設定値を表す情報であり，そのデータ量は例えば２バイトである。
・「ニーポイント」は，撮影時における撮像装置１０のニー回路で圧縮される映像信号のニーポイントの設定値を表す情報であり，そのデータ量は例えば２バイトである。
・「ニースロープ」は，撮影時において撮像装置１０のニー回路で圧縮される映像信号のニースロープの設定値を表す情報であり，そのデータ量は例えば２バイトである。
・「レコーダステータス」は，ＶＴＲ５０等の映像信号記録再生装置が映像信号を記録する際のフレームレートの設置値を表す情報であり，そのデータ量は例えば１バイトである。この「レコーダステータス」は，上記「バリアブルフレームレート」に対応して決定される。
【００５７】
このように，カメラ設定グループには，例えば，撮影時における撮像装置１０の設定情報などの撮影条件に関するメタデータが集められている。このカメラ設定メタデータは，例えば，映像素材の後処理段階などで，その映像素材の画質（明度，色合い，質感等）などを把握する上で有用な情報となる。
【００５８】
＜１．２．３  レンズ設定グループ＞
次に，図４に基づいて，レンズ設定グループに含まれるレンズ設定メタデータについて，具体例を挙げながら詳細に説明する。なお，図４は，本実施形態にかかるレンズ設定グループに含まれるレンズ設定メタデータの具体例を示す説明図である。
【００５９】
図４に示すように，レンズ設定グループに含まれるレンズ設定メタデータは，例えば，映像撮影時におけるレンズ装置１２の設定情報をメインとする各種の撮影条件等を表すメタデータである。
【００６０】
・「ズーム」は，撮影時におけるレンズ装置１２の撮影倍率調整処理によるズーム設定値を表す情報であり，そのデータ量は例えば２バイトである。
・「フォーカス」は，撮影時におけるレンズ装置１２の焦点距離調整処理によるフォーカス設定値を表す情報であり，そのデータ量は例えば２バイトである。
・「アイリス」は，撮影時におけるレンズ装置１２の露光調整処理によるアイリス（絞り）設定値を表す情報であり，そのデータ量は例えば２バイトである。
・「レンズＩＤ」は，撮影に使われたレンズ装置１２を特定するためのシリアル番号（機器番号）であり，そのデータ量は例えば４バイトである。
【００６１】
このように，レンズ設定グループには，例えば，撮影時におけるレンズ装置１２の設定情報などの撮影条件に関するメタデータが集められている。このレンズ設定メタデータは，例えば，映像素材の後処理段階などで，その映像素材で撮影されている被写体の動き，撮像装置１０からの距離等を把握する上で有用な情報となる。
【００６２】
＜１．２．４  ドーリ設定グループ＞
次に，図５に基づいて，ドーリ設定グループに含まれるドーリ設定メタデータについて，具体例を挙げながら詳細に説明する。なお，図５は，本実施形態にかかるドーリ設定グループに含まれるカメラ設定メタデータの具体例を示す説明図である。
【００６３】
図５に示すように，ドーリ設定グループに含まれるドーリ設定メタデータは，例えば，映像撮影時におけるドーリ装置１４の設定情報をメインとする各種の撮影条件等を表すメタデータである。
・「ＧＰＳ」は，撮影時におけるドーリ装置１４の位置（即ち，撮像装置１０の位置）を特定するための緯度および経度情報（Ｇｌｏｂａｌ  Ｐｏｓｉｔｉｏｎｉｎｇ  Ｓｙｓｔｅｍ情報）であり，そのデータ量は例えば１２バイトである。
・「移動方向」は，撮影時におけるドーリ装置１４の移動方向（即ち，撮像装置１０の移動方向）をアングルで表す情報であり，そのデータ量は例えば４バイトである。
・「移動スピード」は，撮影時におけるドーリ装置１４の移動スピード（即ち，撮像装置１０の移動スピード）を表す情報であり，そのデータ量は例えば４バイトである。
・「カメラ方向」は，撮像装置１０の撮影方向を表す情報であり，固定されたドーリ装置１４を基準として，撮像装置１０の回転角度（首を振った角度）で表現される。具体的には，例えば，撮像装置１０の撮像方向を「パン（ｐａｎ）」（Ｚ軸方向），「チルト（ｔｉｌｔ）」（Ｙ軸方向），「ロール（ｒｏｌｌ）」（Ｘ軸方向）の３方向の回転角度で表す。これら３つのデータ量はそれぞれ例えば２バイトである。
・「ドーリ高さ」は，ドーリ装置１４の高さを表す情報であり，そのデータ量は例えば２バイトである。この情報により，撮像装置１０の垂直方向の位置が特定できる。
・「ドーリＩＤ」は，撮影に使われたドーリ装置１４を特定するためのシリアル番号（機器番号）であり，そのデータ量は例えば４バイトである。
【００６４】
このように，ドーリ設定グループには，例えば，撮影時におけるドーリ装置１４の位置，動き等の設定情報からなる撮影条件に関するメタデータが集められている。このドーリ設定メタデータも，例えば，上記レンズ設定メタデータと同様に，映像素材の後処理段階などで，その映像素材に現れている被写体の動き，距離等を把握する上で有用な情報となる。
【００６５】
以上，本実施形態にかかる例えば４つのメタデータグループの内容について説明した。このようにメタデータをグループ化することにより，メタデータの利用目的に応じて，必要なメタデータのみをグループ単位で好適に抽出して，利用，書き換えなどすることができる。
【００６６】
例えば，映像の収録段階では，収録中あるいは収録完了した映像を識別，把握するなどの目的で，シーン番号，タイムコード等を含む上記シーン情報グループのメタデータが抽出されて活用される。また，映像素材の後処理段階では，実写の映像に対してＣＧ映像を合成処理する場合などに，上記カメラ，レンズおよびドーリ設定グループのメタデータが有用である。具体的には，当該映像素材の画質を把握するなどの目的で，上記カメラ設定グループのメタデータが抽出されて活用される。また，当該映像素材内の被写体の動きを把握するなどの目的で，上記レンズ設定グループおよびドーリ設定グループのメタデータが抽出されて活用される。
【００６７】
なお，このようにレンズ設定グループおよびドーリ設定グループのメタデータの利用目的には共通性がある。このため，本実施形態のように，レンズ設定グループおよびドーリ設定グループを別グループとして構成するのではなく，例えば，１つのレンズ・ドーリ設定グループとして構成し，レンズ設定メタデータおよびドーリ設定メタデータを１つにまとめてグループ化するなどしてもよい。
【００６８】
＜１．３  メタデータフォーマット＞
次に，図６に基づいて，本実施形態にかかるメタデータフォーマットについて説明する。なお，図６は，本実施形態にかかるメタデータフォーマットを説明するための説明図である。
【００６９】
上記のように，本実施形態にかかるメタデータは，例えば４つのメタデータグループにグループ化されている。このようにグループ化されたメタデータは，例えば，上記撮像装置１０およびメタデータ付加装置４０等によって，所定のフォーマットで映像信号にフレーム単位で付加される。
【００７０】
より詳細には，図６（ａ）に示すように，上記メタデータは，例えば，映像信号の垂直ブランキング領域内のアンシラリデータ領域等に，アンシラリデータとしてパッケージ化されて１フレーム毎に挿入される。このパッケージ化されたメタデータの例えば伝送時におけるフォーマットを，図６（ｂ）に示す。
【００７１】
図６（ｂ）に示すように，メタデータは，例えば，シーン情報グループ，カメラ設定グループ，レンズ設定グループおよびドーリ設定グループという４つのメタデータグループにグループ化され，この４つのメタデータグループが連続して直列的に配列されたフォーマットを有する。各メタデータグループは，例えば，ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）規格（ＳＭＰＴＥ２９１Ｍ等）に基づいて，ＫＬＶ（Ｋｅｙ  Ｌｅｎｇｔｈ  Ｖａｌｕｅ）符号化されている。
【００７２】
「Ｋ（Ｋｅｙ）」は，例えば，各メタデータグループの先頭に付与される例えば１バイトのキーＩＤ（予約語）である。この「Ｋ」符号は，本実施形態にかかるグループ識別情報として構成されており，各メタデータグループを識別するための符号として機能する。例えば，映像信号のいかなるフレームにおいても，この「Ｋ」符号として，シーン情報グループには常に例えば「０１」を付与し，カメラ設定グループには常に例えば「０２」を付与し，レンズ設定グループには常に例えば「０３」を付与し，レンズ設定グループには常に例えば「０４」を付与することにより，メタデータグループ毎に固有の識別符号を統一して付することができる。このように，メタデータグループ毎に固有のグループ識別情報である「Ｋ」符号を付与することにより，かかるグループ識別情報に基づいて，複数のメタデータグループの中から特定のメタデータグループのみを，フレーム毎に容易に抽出することができる。
【００７３】
「Ｌ（Ｌｅｎｇｔｈ）」は，例えば，上記「Ｋ」符号の次に付与される例えば１バイトのレングス符号である。この「Ｌ」符号は，本実施形態にかかるデータ量情報として構成されており，後続のメタデータグループのデータ量を表す符号として機能する。例えば，あるフレームのシーン情報グループに付された「Ｌ」が「１２４」であれば，当該フレームにおけるシーン情報グループのデータ量が例えば１２４バイトであることを表す。このように，各メタデータグループのコンテンツの前に，データ量情報である「Ｌ」符号を付与することにより，メタデータの抽出或いは書き換え処理の処理効率が向上する。つまり，メタデータ付加装置４０およびＶＴＲ５０等のメタデータを処理する装置は，上記データ量情報である「Ｌ」符号を参照することにより，これから抽出或いは書き換えしようとするメタデータのデータ量を予め把握できる。このため，当該抽出或いは書き換え処理の処理効率が向上する。
【００７４】
「Ｅｌｅｍｅｎｔ」は，例えば，実際の各メタデータグループのメタデータが格納されるユーザデータ領域（Ｖａｌｕｅ領域）であり，可変長である。
【００７５】
また，このようにＫＬＶ符号化されたメタデータグループの前には，伝送されるメタデータの種類を定義，識別するためのフラグである「ＡｎｃｉｌｌａｌｙＤａｔａ  Ｆｌａｇ」アンシラリデータフラグ，「ＤＩＤ：Ｄａｔａ  ｉｄｅｎｔｉｆｉｃａｔｉｏｎ」データＩＤ，「ＳＤＩＤ：Ｓｅｃｏｎｄａｒｙ  Ｄａｔａ  Ｉｄｅｎｔｉｆｉｃａｔｉｏｎ」セカンダリーデータＩＤ，「ＤＣ：Ｄａｔａ  Ｃｏｕｎｔｅｒ」データカウンタ，などが付されている。一方，メタデータグループの後には，伝送時における誤り検出用の「ＣＲＣ：Ｃｙｃｌｉｃ  Ｒｅｄｕｎｄａｎｃｙ  Ｃｈｅｃｋ」，「ＣＨＥＣＫ  ＳＵＭ」などの符号が付されている。
【００７６】
ところで，上記ＳＭＰＴＥ規格では，ＫＬＶ符号化したメタデータを映像信号のアンシラリデータ領域にパッキングして挿入する場合には，アンシラリデータの１パケットサイズが２５５バイトとなるように規格化されている。そこで，本実施形態にかかるメタデータフォーマットでは，この規格に適合するように，グループ化されたメタデータのデータ総量が，例えば２５５バイト以下となるように調整されている。具体的には，例えば，シーン情報グループのメタデータ量が例えば１２４バイト以下，カメラ設定グループのメタデータ量が例えば４０バイト以下，レンズ設定グループのメタデータ量が例えば１０バイト以下，ドーリ設定グループのメタデータ量が例えば５２バイト以下，となるように調整されている。このため，アンシラリデータの１つのパケットサイズが，メタデータ総量で例えば約２２６バイト以下となるように設定されている。
【００７７】
このように，本実施形態にかかるメタデータフォーマットでは，全てのメタデータがアンシラリデータの１パケットサイズ（２５５バイト）内に収まるように設定されている。しかし，かかる例に限定されず，例えば，複数のアンシラリデータパケットを連結させて，これら複数のパケットにメタデータを分割してパッキングするようにしてもよい。
【００７８】
以上説明したように，本実施形態にかかるメタデータフォーマットは，例えば，メタデータに割り当てられた領域を，メタデータグループ数に応じて分割し，各分割領域に，各メタデータグループのメタデータを挿入するような構成である。さらに，各メタデータグループの先頭には，上記グループ識別情報およびデータ量情報がそれぞれ付与されている。かかる構成により，メタデータの利用目的に応じて必要なメタデータを，メタデータグループ毎に，迅速かつ容易に検出，抽出または書き換えることができる。例えば，上記グループ識別情報を，映像作品の収録部署と編集部署との間で共通の識別ＩＤとして共用することで，映像作品の制作過程においてメタデータを好適に利用することができる。
【００７９】
＜１．４  各装置の構成＞
次に，上記のような映像記録システム１を構成する主要な装置について詳細に説明する。
【００８０】
＜１．４．１  撮像装置＞
まず，図７に基づいて，本実施形態にかかる撮像装置１０について詳細に説明する。なお，図７は，本実施形態にかかる撮像装置１０の構成を示すブロック図である。
【００８１】
図７に示すように，撮像装置１０は，例えば，ＣＰＵ１００と，メモリ部１０２と，撮像部１０４と，信号処理部１０６と，表示部１０８と，カメラ設定メタデータ生成部１１０と，メタデータ付加部１１２と，送受信部１１４と，レンズ装置１２と，ドーリ装置１４とを備える。
【００８２】
ＣＰＵ（Ｃｅｎｔｒａｌ  Ｐｒｏｃｅｓｓｉｎｇ  Ｕｎｉｔ）１００は，演算処理装置および制御装置として機能し，撮像装置１０の各部の処理を制御することができる。また，メモリ部１０２は，例えば，各種のＲＡＭ，ＲＯＭ，フラッシュメモリ，ハードディスクなどの記憶装置などで構成されており，ＣＰＵ１００の処理に関する各種データ，およびＣＰＵ１００の動作プログラム等を記憶または一時記憶する機能を有する。
【００８３】
撮像部１０４は，例えば，ＯＨＢ（Ｏｐｔｉｃａｌ  ｈｅａｄ  ｂａｓｅ）などで構成されており，被写体を撮像して映像信号を生成する機能を有する。詳細には，この撮像部１０４は，例えば，レンズ装置１２から入射された光学像を，プリズム（図示せず。）によりＲ・Ｇ・Ｂに分光し，各種のフィルタ（図示せず。）を透過させた上で，ＣＣＤ（Ｃｈａｒｇｅ  Ｃｏｕｐｌｅｄ  Ｄｅｖｉｃｅ）等の撮像デバイス（図示せず。）により所定のシャッタスピードで光電変換して，アナログ電気信号である映像信号を生成する。
【００８４】
信号処理部１０６は，撮像部１０４から入力された微弱なアナログ電気信号である映像信号に対して，ゲイン調整（ＡＧＣ）処理，相関２重サンプリング処理，Ａ／Ｄ変換処理，エラー補正処理，ホワイトバランス調整処理，ダイナミックレンジ圧縮処理，ガンマ補正処理，シェーディング補正処理，ディテール調整処理，ニー処理などを施して，デジタル映像信号を出力することができる。なお，本実施形態では，例えば，ＨＤ（Ｈｉｇｈ  Ｄｅｆｉｎｉｔｉｏｎ）デジタル映像信号を生成・出力するよう構成されている。また，この信号処理部１０６は，例えば，上記デジタル映像信号をアナログ映像信号に変換して，表示部１０８に出力することもできる。また，この信号処理部１０６は，例えば，予め設定された条件に基づいて，或いはカメラマンの入力操作に基づいて，出力する映像信号のフレームレートを変化（例えば２３．９８〜３０Ｐ）させることができる。
【００８５】
また，表示部１０８は，例えば，カメラマンが被写体を見るためのビューファインダーなどであり，ＣＲＴモニタなどで構成されている。この表示部１０８は，上記信号処理部１０６から入力された例えばアナログ映像信号を表示出力することができる。なお，この表示部１０８は，例えば，ＬＣＤモニタなどの各種のディスプレイ装置などで構成されてもよい。
【００８６】
カメラ設定メタデータ生成部１１０は，例えば，撮像部１０４の設定情報や，上記信号処理部１０８でのガンマ，ニー，ディテール等の信号処理の設定情報などのパラメータを取得して管理している。さらに，カメラ設定メタデータ生成部１１０は，かかるパラメータに基づいて，上記カメラ設定メタデータを，例えば映像信号の１フレーム毎にそれぞれ生成して，メタデータ付加部１１２に出力する。
【００８７】
メタデータ付加部１１２は，本実施形態にかかるメタデータ付加装置の１つとして構成されている。このメタデータ付加部１１２は，例えば，撮像装置１０の外部へ映像信号を出力するタイミングにあわせて，カメラ設定メタデータを当該映像信号に１フレーム毎に付加することができる。具体的には，このメタデータ付加部１１２は，例えば，カメラ設定メタデータ生成部１１０から入力されたカメラ設定メタデータを，ＫＬＶ符号化してパッキングする。さらに，メタデータ付加部１１２は，このパッキングしたカメラ設定メタデータを，図８（ａ）に示すように，映像信号のブランキング領域のうちカメラ設定グループに割り当てられている領域に，１フレーム毎に順次，挿入する。
【００８８】
このとき，メタデータ付加部１１２は，図８（ａ）に示すように，例えば，カメラ設定グループ以外の，シーン情報グループ，レンズ設定グループおよびドーリ設定グループに対応する領域には，ダミーデータを挿入しておくことができる。
【００８９】
なお，上記のようなカメラ設定メタデータ生成部１０８およびメタデータ付加部１１０は，例えば，ハードウェアとして構成してもよいし，或いは，上記処理機能を実現するソフトウエアとして構成して，このプログラムをメモリ部１０２に格納してＣＰＵ１００が実際の処理を行うようにしてもよい。
【００９０】
送受信部１１４は，例えば，上記のようにしてカメラ設定メタデータが付加された映像信号を，光ファイバケーブルを介してＣＣＵ２０に送信する。
【００９１】
レンズ装置１２は，例えば，光学ブロック１２２と，駆動系ブロック１２４と，レンズ設定メタデータ生成部１２４とを備える。
【００９２】
光学系ブロック１２２は，例えば，複数枚のレンズ，絞りなどからなり，被写体からの光学像を撮像部１０４に入射させることができる。駆動系ブロック１２４は，例えば，光学系ブロック１２２のレンズ間距離や絞りを調整するなどして，ズーム，アイリス，フォーカスなどを調整することができる。
【００９３】
レンズ設定メタデータ生成部１２６は，例えば，上記駆動系ブロック１２４のレンズ設定情報等のパラメータを取得して管理している。さらに，レンズ設定メタデータ生成部１２６は，かかるパラメータに基づいて，上記レンズ設定メタデータを例えば１フレーム毎に生成する。このようにして生成されたレンズ設定メタデータは，例えば，ＲＳ−２３２Ｃケーブルを介して，メタデータ付加装置４０に出力される。
【００９４】
ドーリ装置１４は，例えば，ドーリ計測部１４２と，ドーリ設定メタデータ生成部１４４とを備える。
【００９５】
ドーリ計測部１４２は，例えば，ＧＰＳ情報，ドーリ装置１４の移動速度や向き，撮像装置１０のアングルなどといった，ドーリ装置１４に関する各種の設定情報を計測して，ドーリ設定メタデータ生成部１４４に出力する。
【００９６】
ドーリ設定メタデータ生成部１４４は，例えば，上記ドーリ計測部１４２からの計測情報に基づいて，上記ドーリ設定メタデータを，例えば１フレーム毎に生成する。このようにして生成されたドーリ設定メタデータは，例えば，ＲＳ−２３２Ｃケーブルを介して，メタデータ付加装置４０に出力される。
【００９７】
＜１．４．２  カメラコントロールユニット＞
次に，図９に基づいて，本実施形態にかかるＣＣＵ２０について詳細に説明する。なお，図９は，本実施形態にかかるＣＣＵ２０の構成を示すブロック図である。
【００９８】
図９に示すように，ＣＣＵ２０は，例えば，ＣＰＵ２００と，メモリ部２０２と，送受信部２０４と，信号処理部２０６と，シリアライザ２０８と，を備える。
【００９９】
ＣＰＵ２００は，演算処理装置および制御装置として機能し，ＣＣＵ２０の各部の処理を制御することができる。このＣＰＵ２００には，リファレンス信号が入力されており，映像記録システム１内の他の装置との間で，映像信号の同期をとることができる。また，メモリ部２０２は，例えば，各種のＲＡＭ，ＲＯＭ，フラッシュメモリ，ハードディスクなどの記憶装置などで構成されており，ＣＰＵ２００の処理に関する各種データ，およびＣＰＵ２００の動作プログラム等を記憶または一時記憶する機能を有する。
【０１００】
送受信部２０４は，例えば，撮像装置１０からカメラ設定メタデータが付加された映像信号を受信し，信号処理部２０６に送信する。
【０１０１】
信号処理部２０６は，例えば，光信号として入力された映像信号を，ＨＤ  ＳＤＩ信号に変換処理して，シリアライザ２０８に出力する。なお，この信号処理部２０６は，上記撮像装置１０の信号処理部１０６の処理機能を具備するように構成することもできる。
【０１０２】
シリアライザ２０８は，例えば，信号処理部２０６から受け取った映像信号をパラレル−シリアル変換して，ＨＤ  ＳＤＩケーブルを介してメタデータ付加装置４０に送信する。なお，このＣＣＵ２０が出力する映像信号のブランキング領域には，図８（ａ）に示したように，例えば，カメラ設定グループに対応する領域にのみ，実際のメタデータが挿入されており，その他のメタデータグループの領域にはダミーデータが挿入されている。
【０１０３】
＜１．４．３  メタデータ付加装置＞
次に，図１０に基づいて，本実施形態にかかるメタデータ付加装置４０について詳細に説明する。なお，図１０は，本実施形態にかかるメタデータ付加装置４０の構成を示すブロック図である。
【０１０４】
図１０に示すように，メタデータ付加装置４０は，例えば，ＣＰＵ４００と，メモリ部４０２と，メタデータパッキング部４０４と，メタデータエンコーダ４０６と，デシリアライザ４０８と，メタデータ挿入部４１０と，シリアライザ４１２と，を備える。
【０１０５】
ＣＰＵ４００は，演算処理装置および制御装置として機能し，メタデータ付加装置４０の各部の処理を制御することができる。このＣＰＵ４００には，リファレンス信号が入力されており，映像記録システム１内の他の装置との間で，映像信号の同期をとることができる。また，このＣＰＵ４００には，タイムコード信号（ＬＴＣ）が入力されており，このＬＴＣに基づいてシーン情報メタデータの１つであるタイムコード情報を生成して，メモリ部４０２に記憶させることができる。また，かかるＬＴＣをＶＴＲ５０に出力することもできる。
【０１０６】
また，メモリ部４０２は，例えば，各種のＲＡＭ，ＲＯＭ，フラッシュメモリ，ハードディスクなどの記憶装置などで構成されており，ＣＰＵ４００の処理に関する各種データ，およびＣＰＵ４００の動作プログラム等を記憶または一時記憶する機能を有する。また，このメモリ部４０２は，例えば，各装置から送信されてきたメタデータを一時的に記憶するためのメタデータバッファメモリ４０３を具備している。
【０１０７】
このメタデータバッファメモリ４０３は，例えば，上記レンズ装置１２から撮影開始後に順次送信されてくるレンズ設定メタデータ，ドーリ装置１４から撮影開始後に順次送信されてくるドーリ設定メタデータ，メタデータ入力用端末装置３０から撮影開始前に予め所得したシーン情報メタデータ，ＣＰＵ４００から入力されたタイムコード情報，などを記憶する。
【０１０８】
メタデータパッキング部４０４は，例えば，上記メタデータバッファメモリ４０３に蓄えられている各種のメタデータの中から必要なメタデータを抽出し，その利用目的ごとに，レンズ設定グループ，ドーリ設定グループ，シーン情報グループなどといった複数のメタデータグループにグループ化して，上記ＫＬＶの構造にパッキングし直す。メタデータパッキング部４０４は，このようにパッキングしたメタデータをメタデータエンコーダ４０６に出力する。
【０１０９】
メタデータエンコーダ４０６は，上記メタデータパッキング部４０４からのメタデータをエンコードする。上記のようにしてメタデータ付加装置４０に入力されてくるメタデータは，例えばＲＳ−２３２Ｃのプロトコル形式のデータである。このため，メタデータエンコーダ４０６は，例えば，このメタデータを，ＨＤＳＤＩ形式の映像信号へ挿入できるように，アンシラリデータパケット形式にフォーマット変換して符号化する（図６参照）。この符号化により，例えば，メタデータの前後には，上記説明したような各種のフラグやＣＲＣなどが付される。
【０１１０】
デシリアライザ４０８は，ＣＣＵ２０から入力された映像信号をシリアル−パラレル変換して，メタデータ挿入部４１０に出力する。
【０１１１】
メタデータ挿入部４１０は，上記メタデータエンコーダ４０６から入力されたメタデータを，上記デシリアライザ４０８から入力されてくる映像信号のブランキング領域に，１フレーム毎に順次挿入していく。
【０１１２】
このとき，メタデータ挿入部４１０に入力されてくる映像信号において，例えば，ブランキング領域のうちカメラ設定グループに対応する領域には，図８（ａ）に示すように，上記撮像装置１０によって予めカメラ設定グループのカメラ設定メタデータが挿入された状態となっている。
【０１１３】
一方，このカメラ設定グループ以外の，シーン情報グループ，レンズ設定グループ，ドーリ設定グループに対応する領域には，ダミーデータが挿入された状態となっている。このため，メタデータ挿入部４１０は，図８（ｂ）に示すように，例えば，かかるダミーデータを，実際のシーン情報メタデータ，レンズ設定メタデータ，ドーリ設定メタデータなどにそれぞれ書き換えることで，当該メタデータの当該映像信号へのメタデータの挿入が実現される。かかるメタデータの書き換え処理時には，メタデータ挿入部４１０は，例えば，各メタデータグループの対応領域に付与されているグループ識別情報「Ｋ」およびデータ量情報「Ｌ」に基づいて，当該対応領域の検出，書き換え処理を行うので，書き換え処理を効率的に行うことができる。また，メタデータ挿入部４１０は，このようにメタデータを挿入するときに，例えば，挿入するメタデータと映像信号との遅延時間の位相合わせを行うこともできる。
【０１１４】
シリアライザ４１２は，上記のようにしてメタデータ挿入部４１０によってメタデータが１フレーム毎に付加された映像信号を，パラレル−シリアル変換して，ＶＴＲ５０に送信する。
【０１１５】
このように，本実施形態にかかるメタデータ付加装置４０は，例えば，予めカメラ設定メタデータが付加されている映像信号に対し，さらに，シーン情報メタデータ，レンズ設定メタデータおよびドーリ設定メタデータを追加して付加することができる。
【０１１６】
＜１．４．４  ビデオテープレコーダ＞
次に，図１１に基づいて，本実施形態にかかるＶＴＲ５０について詳細に説明する。なお，図１１は，本実施形態にかかるＶＴＲ５０の構成を示すブロック図である。
【０１１７】
図１１に示すように，ＶＴＲ５０は，例えば，ＣＰＵ５００と，メモリ部５０２と，デシリアライザ５０４と，信号処理部５０６と，メタデータデコーダ５０８と，記録再生ブロック５１０と，ＥＣＣブロック５１２と，メタデータエンコーダ５１４と，シリアライザ５１６と，を備える。
【０１１８】
ＣＰＵ５００は，演算処理装置および制御装置として機能し，ＶＴＲ５０の各部の処理を制御することができる。このＣＰＵ５００には，タイムコード信号（ＬＴＣ）信号が入力されている。また，メモリ部５０２は，例えば，各種のＲＡＭ，ＲＯＭ，フラッシュメモリ，ハードディスクなどの記憶装置などで構成されており，ＣＰＵ５００の処理に関する各種データ，およびＣＰＵ５００の動作プログラム等を記憶または一時記憶する機能を有する。
【０１１９】
デシリアライザ５０４は，メタデータ付加装置４０から入力された映像信号をシリアル−パラレル変換して，信号処理部５０６に出力する。
【０１２０】
信号処理部５０６は，例えば，映像信号等をビデオテープ５２に対して好適に記録／再生するために，映像信号に各種の処理を施すことができる。例えば，信号処理部５０６は，必要に応じて，ＭＰＥＧ（Ｍｏｖｉｎｇ  Ｐｉｃｔｕｒｅ  Ｅｘｐｅｒｔｓ  Ｇｒｏｕｐ  ｐｈａｓｅ）１，ＭＰＥＧ２，ＭＰＥＧ４，またはＤＣＴ（Ｄｉｓｃｒｅｔｅ  Ｃｏｓｉｎｅ  Ｔｒａｎｓｆｏｒｍ）方式などに基づいて，映像信号を圧縮／伸張処理できる。また，信号処理部５０６は，例えば，上記各信号の記録／再生のタイミング合わせをしたり，映像信号と音声信号を分離して，ＥＣＣ（Ｅｒｒｏｒ  Ｃｏｒｒｅｃｔｉｎｇ  Ｃｏｄｅ：誤り訂正符号）を付与したりもできる。また，信号処理部５０６は，例えば，映像信号に付加されているメタデータをフレーム単位で抽出したり，逆に，デコードされたメタデータを映像信号にフレーム単位で挿入したりできる。
【０１２１】
この信号処理部５０６は，例えば，メタデータ付加装置４０から入力された映像信号をそのままシリアライザ５１４に出力する，あるいは，ビデオテープ５２から再生された映像信号をシリアライザ５１４に出力することができる。
【０１２２】
メタデータデコーダ５０８は，例えば，映像信号から取り出されたメタデータをデコードする。具体的には，メタデータデコーダ５０８は，例えば，記録する上で不要な，当該メタデータに付与されているフラグ（Ｆｌａｇ，ＤＩＤ，ＳＤＩＤ等）およびＣＲＣ等を取り除いて，ＣＰＵ５００に出力する。ＣＰＵ５００は，例えば，このメタデータに上記映像信号と同様にＥＣＣを付与して，記録再生ブロック５１０に出力する。
【０１２３】
記録再生ブロック５１０は，例えば，ビデオヘッドおよび駆動メカニズム（いずれも図示せず。）等から構成されている。この記録再生ブロック５１０は，メタデータが付加された映像信号をビデオテープ５２に対して実際に記録／再生することができる。より詳細には，記録再生ブロック５１０は，例えば，映像信号，音声信号およびメタデータを１フレーム単位でセットにして，ビデオテープ５２の記録エリアに順次，記録していくことができる。また，この記録再生ブロック５１０は，例えば，ビデオテープ５２の記録エリアに記録されている映像信号，音声信号およびメタデータを１フレーム単位でセットにして，順次，再生することができる。
【０１２４】
ＥＣＣブロック５１２は，例えば，上記ＥＣＣに基づいて，記録再生ブロック５１０によってビデオテープ５２から再生された映像信号等の誤り検出を行う。
このＥＣＣブロック５１２は，誤り検出完了後に，例えば，再生されたメタデータをＣＰＵ５００に，映像信号及び音声信号を信号処理部５０６に出力する。
【０１２５】
メタデータエンコーダ５１４は，再生されたメタデータを伝送用のフォーマットにエンコード（上記フラグ，ＣＲＣ等を付与）して，信号処理部５０６に出力する。信号処理部５０６は，例えば，ＥＣＣブロック５１２から入力された映像信号及び音声信号と，上記メタデータエンコーダ５１４によってエンコードされたメタデータとを合わせて，シリアライザ５１６に出力する。
【０１２６】
シリアライザ５１６は，信号処理部５０６から入力された映像信号等を，パラレル−シリアル変換して，メタデータ合成装置６０に送信する。
【０１２７】
なお，上記のように，信号処理部５０６，メタデータデコーダ５０８，ＣＰＵ５００および記録再生ブロック５１０などは，本実施形態にかかる記録部として構成されており，メタデータが付加された映像信号を記憶媒体に記録することができる。
【０１２８】
＜１．４．５  メタデータ合成装置＞
次に，図１２に基づいて，本実施形態にかかるメタデータ合成装置６０について詳細に説明する。なお，図１２は，本実施形態にかかるメタデータ合成装置６０の構成を示すブロック図である。
【０１２９】
図１２に示すように，メタデータ合成装置６０は，例えば，ＣＰＵ６００と，メモリ部６０２と，デシリアライザ６０４と，メタデータ抽出部６０６と，メタデータデコーダ６０８と，メタデータ映像生成部６１０と，メタデータ映像合成部６１２と，シリアライザ６１４と，を備える。
【０１３０】
ＣＰＵ６００は，演算処理装置および制御装置として機能し，メタデータ合成装置６０の各部の処理を制御することができる。また，メモリ部６０２は，例えば，各種のＲＡＭ，ＲＯＭ，フラッシュメモリ，ハードディスクなどの記憶装置などで構成されており，ＣＰＵ６００の処理に関する各種データ，およびＣＰＵ６００の動作プログラム等を記憶または一時記憶する機能を有する。
【０１３１】
デシリアライザ６０４は，ＶＴＲ５０から入力された映像信号をシリアル−パラレル変換して，メタデータ抽出部６０６に出力する。
【０１３２】
メタデータ抽出部６０６は，例えば，映像信号のブランキング領域に挿入されているメタデータを１フレーム毎に抽出する。このとき，メタデータ抽出部６０６は，例えば，ブランキング領域に挿入されている全てのメタデータを抽出するのではなく，例えば，特定のメタデータグループ（例えばシーン情報グループ）のメタデータのみを抽出したり，さらに，当該メタデータグループ内の特定のメタデータ（例えば，タイムコード，シーン番号，テイク番号）のみを抽出したりするようにしてもよい。なお，かかるメタデータの抽出処理時には，メタデータ抽出部６０６は，各メタデータグループに付与されているグループ識別情報「Ｋ」およびデータ量情報「Ｌ」に基づいて，抽出しようとするメタデータグループの位置およびデータ量を把握できるので，必要なメタデータの抽出処理を効率的に行うことができる。
【０１３３】
メタデータ抽出部６０６は，例えば，このようにして抽出したメタデータをメタデータデコーダ６０８に出力する一方，映像信号はそのままの状態でメタデータ映像合成部６１２に出力する。
【０１３４】
メタデータデコーダ６０８は，例えば，メタデータ抽出部６０６から入力されたメタデータをデコードし，メタデータ映像生成部６１０に出力する。
【０１３５】
メタデータ映像生成部６１０は，例えば，メタデータデコーダ６０８から入力されたメタデータを，スーパーインポーズするために映像データに書き換えることができる。即ち，メタデータデコーダ６０８でデコードされたメタデータは，例えばテキストデータ形式のメタデータであるので，メタデータ映像生成部６１０は，このメタデータを映像データ形式に変換する。
【０１３６】
メタデータ映像合成部６１２は，例えば，メタデータ抽出部６０６から入力された映像信号に対して，メタデータ映像生成部６１０で映像データに変換されたメタデータをフレーム単位で順次，合成することができる。換言すると，このメタデータ付加部６１２は，例えば，当該映像信号に対して，映像データ化されたメタデータをフレーム単位で多重して，スーパーインポーズすることができる。
【０１３７】
シリアライザ６１２は，メタデータ映像合成部６１２から入力された映像信号等を，パラレル−シリアル変換して，表示装置７０に送信する。
【０１３８】
このようにして，メタデータ合成装置６０は，撮像装置によって撮影中の映像信号，或いはＶＴＲ５０で再生された映像信号から，そのブランキング領域に挿入されているメタデータを取り出して，当該映像信号にスーパーインポーズすることができる。この結果，かかる映像信号が入力された表示装置７０は，当該メタデータがスーポーインポーズ等された映像を表示することができる。
【０１３９】
これにより，ディレクタ等は，例えば，撮像装置１０によって収録中の映像，あるいは収録後にＶＴＲ５０で再生された映像を，当該映像に関するメタデータとともに閲覧することができる。このため，例えば，タイムコード，シーン番号，テイク番号等がスーパーインポーズ表示されている場合には，ディレクタ等は，当該映像がいかなるシーンの，いかなるテイクの，いかなる時間のものであるかなどを，映像を見ながら容易に識別，確認することができる。
【０１４０】
＜１．５  映像記録方法＞
次に，図１３に基づいて，上記のような映像記録システム１を用いた本実施形態にかかる映像記録方法について説明する。なお，図１３は，本実施形態にかかる映像記録方法を説明するためのタイミングチャートである。
【０１４１】
図１３（ａ）に示すように，撮影が開始されると，まず，撮像装置１０には，生の映像が，順次，入射される。すると，撮像装置１０は，０フレーム，１フレーム，２フレーム，…とフレーム単位で映像信号を順次生成していく。このとき，撮像装置１０のＣＣＤ等は，例えば，当該映像を例えばプログレッシブ方式でスキャンする。このため，撮像装置１０の出力する映像信号は，撮像装置１０に入射された生の映像に対して，例えば１フレーム程度の遅延が生ずる。この結果，図１３（ｂ）に示すように，ＣＣＵ２０の出力も例えば１フレーム程度遅延する。
【０１４２】
また，上記映像信号の生成と略同時に，撮像装置１０は，カメラ設定メタデータを１フレーム毎に生成し，図１３（ｂ）に示すように，対応するフレームの映像信号のブランキング領域に１フレーム毎に順次挿入していく。これにより，撮像装置１０は，撮像処理を実行して映像信号を生成しながら，当該映像信号に対して，カメラ設定グループのメタデータをフレーム単位で付加することができる。
【０１４３】
また，このような映像装置１０の撮影処理と同時並行して，レンズ装置１２およびドーリ装置１４は，上記撮影処理時における設定情報を収集して，レンズ設定メタデータおよびドーリ設定メタデータを例えば１フレーム毎に生成し，メタデータ付加装置４０に順次出力している。
【０１４４】
さらに，ＣＣＵ２０には，上記撮像装置１０によって生成され，カメラ設定メタデータが１フレーム毎に付加された映像信号が，順次，入力されてくる。ＣＣＵ２０は，図１３（ｂ）に示すように，この映像信号をメタデータ付加装置４０に順次出力していく。
【０１４５】
また，メタデータ付加装置４０は，図１３（ｃ）に示すように，ＣＣＵ２０から入力されてくる映像信号のブランキング領域に，シーン情報メタデータ，レンズ設定メタデータおよびドーリ設定メタデータを，１フレーム毎に順次挿入していく。また，メタデータ付加装置４０は，例えば，当該映像信号に対して１フレーム毎に，タイムコード情報をシーン情報メタデータの１つとして付加していく。このようにして，メタデータ付加装置４０は，上記撮像装置１０による撮影処理と同時並行して，当該映像信号に対して，利用目体に応じてグループ化されたメタデータをフレーム単位で付加することができる。
【０１４６】
さらに，ＶＴＲ５０には，図１３（ｄ）に示すように，例えば，メタデータ付加装置４０から，メタデータが付加された映像信号が順次入力されるとともに，集音装置１８から音声信号が順次入力されてくる。この音声信号は，例えば，一旦メモリ部５０２に貯蔵され，当該映像信号の遅延に合わせて映像信号に同期して記録される。ＶＴＲ５０は，当該映像信号のメタデータをデコードした上で，当該映像信号および同期された音声信号とともに，ビデオテープ５２等にフレーム単位で記録していく。
【０１４７】
以上のように，本実施形態にかかる映像記録方法では，例えば，撮像装置１０による撮影処理を実行しながら，各種のメタデータを生成してグループ化し，当該撮影処理によって生成された映像信号に対して上記グループ化されたメタデータをフレーム単位で付加して，記憶媒体に記録することができる。
【０１４８】
以上説明したように，上記映像記録システム１及びこれを用いた映像記録方法によれば，撮像装置１０によって生成された映像信号に対して，撮影処理中にリアルタイムで，映像信号に関連するメタデータをフレーム単位で付加して，同一記憶媒体に記録することができる。このため，従来のように，ＰＣ等の端末装置内に記録されたメタデータと，記憶媒体中に記録された映像素材とを，タイムコード等で間接的にリンクする必要がなくなり，映像素材とその映像素材に関するメタデータとを，直接的にリンクさせて記録することができる。従って，映像素材とメタデータを一体的に管理することができるので便利である。また，メタデータの抽出時に映像素材とメタデータの整合性をとる必要が無いので，必要なメタデータを効率的に抽出して利用したり，書き換えたりできるようになる。
【０１４９】
＜２  映像編集装置＞
次に，本実施形態にかかる映像編集装置およびその処理方法について説明する。
【０１５０】
＜２．１  映像編集装置＞
まず，本実施形態にかかる映像編集装置の概要について説明する。映像編集装置は，上記のようにして撮影・収録された映像素材を編集処理するための装置であり，編集部署のあるスタジオ等に設けられる。この編集部署とは，例えば，上記記録システム１が撮影・収録した映像素材を編集処理して，完全パッケージプログラム（以下では，完パケという。）を完成させる部署である。編集処理には，例えば，映像素材の粗編集処理，後処理，本編集処理などが含まれる。
【０１５１】
粗編集処理は，多様な映像素材の中から，映像作品を構成する映像を切り出す処理である。具体的には，まず，上記映像記録システム１によって収録された複数の映像素材の中から必要な映像素材を収集し，次いで，収集された映像素材の中から必要な映像部分を選択して，開始位置（Ｉｎ点）および終了位置（Ｏｕｔ点）のタイムコード等を決定して，必要な映像部分を特定する処理である。
【０１５２】
後処理は，撮影・収録された実写の映像素材に対して，映像合成処理または映像補正処理等を施して，実写の映像素材の内容を変更する処理である。
【０１５３】
また，本編集処理は，粗編集や後処理を経た映像素材のオリジナルデータを繋ぎ合わせ，最終的な画質調整等を施し，番組などで放映するための完全パッケージデータを作成する処理である。
【０１５４】
本実施形態にかかる映像編集装置３は，上記編集処理のうち，例えば，後処理を行うための装置として構成されている。この映像編集装置３が行う後処理は，例えば，上記映像記録システム１によって撮影・収録された実写の映像素材に対して，映像合成処理若しくは映像補正処理等を施す処理である。
【０１５５】
より詳細には，映像合成処理は，例えば，フォアグラウンドの映像とバックグラウンドの映像とを合成する処理である。このように合成する映像のうち，少なくともいずれかの映像としてコンピュータグラフィックス映像（以下では，ＣＧ映像という。）を用いるのが，ＣＧ映像合成処理である。ＣＧ映像合成処理の具体例としては，例えば，フォアグラウンドである人物の実写映像と，バックグラウンドである架空背景のＣＧ映像とを合成する処理や，逆に，フォアグラウンドである架空人物のＣＧ映像と，バックグラウンドである背景の実写映像とを合成する処理などが挙げられる。
【０１５６】
また，映像補正処理は，実写の映像素材に対して各種の補正を施す処理である。具体的には，例えば，映像素材の明るさを変えるなどして，昼間の映像を夕方の映像にしたり，春の映像を秋の季節の映像にしたりする処理や，実写の映像には無いものを付加したり，実写の映像にあるものを変更／削除したりする処理（例えば，人物の髪型を変更する）などが挙げられる。
【０１５７】
なお，映像編集装置３は，このような後処理以外にも，例えば，粗編集処理及び／又は本編集処理などを実行できるように構成されてもよい。
【０１５８】
次に，図１４に基づいて，上記のような後処理等を実行するための映像編集装置の全体構成について説明する。なお，図１４は，本実施形態にかかる映像編集装置３の概略的な構成を示すブロック図である。
【０１５９】
図１４に示すように，本実施形態にかかる映像編集装置３は，例えば，再生用ＶＴＲ９０と，合成用映像サーバ９２と，編集用端末装置８０と，から主に構成されている。
【０１６０】
再生用ＶＴＲ９０は，例えば，上記ビデオテープ５２等の記憶媒体に対して映像信号を記録／再生可能なビデオテープレコーダであり，本実施形態にかかる映像信号再生装置として構成されている。この再生用ＶＴＲ９０の内部構成は，例えば，上記図１２で説明したようなＶＴＲ５０の内部構成と略同一であるので，その説明は省略する。
【０１６１】
この再生用ＶＴＲ９０には，例えば，上記映像記録システム１によって撮影・収録された実写の映像素材を記録しているビデオテープ５２が，ローディングされる。このビデオテープ５２に記録されている映像信号には，上記のように，グループ化されたメタデータがフレーム単位で付加されている。再生用ＶＴＲ９０は，かかるビデオテープ５２に記録されている実写の映像素材を再生し，再生した映像素材を編集用端末装置８０に出力することができる。より詳細には，この再生用ＶＴＲ９０は，例えば，当該ビデオテープ５２から，上記のようにしてフレーム単位で各種メタデータが付加された映像信号（実写の映像素材）及び／又は音声信号を再生することができる。また，再生用ＶＴＲ９０は，このようにして再生した実写の映像信号等を，ＨＤ  ＳＤＩケーブル等を介して，編集用端末装置８０に出力することができる。
【０１６２】
なお，この再生用ＶＴＲ９０は，例えば，上記のように，ビデオテープ５２から映像信号を再生して，編集用端末装置８０に提供することを主な機能とするが，かかる例に限定されず，例えば，編集用端末装置８０等から入力された映像信号等をビデオテープ５２に記録できるように構成しても勿論よい。
【０１６３】
合成用映像サーバ９２は，例えば，合成用映像信号を貯蔵するためのサーバであり，例えば，大容量の映像信号を格納可能なハードディスクドライブ等の記録装置を備える。また，この合成用映像サーバ９２は，例えば，格納している合成用映像信号を，必要に応じて，編集用端末装置８０に出力することができる。なお，この合成用映像サーバ９２は，例えば，編集用端末装置８０とは別体に構成されたパーソナルコンピュータ及び記録装置などからなるサーバ装置として構成されてもよいし，或いは，編集用端末装置８０に内蔵されたディスク装置などとして構成されてもよい。
【０１６４】
この合成用映像サーバ９２が貯蔵する合成用映像信号は，例えば，上記再生用ＶＴＲ９０で再生された映像信号に対して合成するための映像信号である。本実施形態では，この合成用映像信号は，例えば，コンピュータを用いて作成された架空の図表，図形，線画，絵等からなる動画像または静止画像のＣＧ映像信号である。かかるＣＧ映像信号は，例えば，ＣＧ映像作成用のソフトウエア等がインストールされたコンピュータなどにより生成され，合成用映像サーバ９２に予め格納されている。また，例えば，このＣＧ映像信号に対しても，ＣＧ作成時点でＣＧ映像信号に関連する各種のメタデータ（例えば，ＣＧ画像のガンマ，ディテール，ニーレベル等）がフレーム単位で付加されている。
【０１６５】
なお，合成用映像信号は，上記ＣＧ映像信号の例に限定されず，例えば実写の映像信号などであっても勿論よい。これにより，実写映像同士を合成することが可能になる。
【０１６６】
編集用端末装置８０は，例えば，パーソナルコンピュータなどの情報処理装置及びその周辺装置などで構成される。この編集用端末装置８０は，例えば，上記再生用ＶＴＲ９０から，再生された実写の映像信号を取得するとともに，上記合成用映像サーバ９２から，ＣＧ映像信号を取得することができる。
【０１６７】
また，この編集用端末装置８０は，例えば，実写の映像信号に付加されているメタデータを抽出することができる。このとき，編集用端末装置８０は，例えば，上記メタデータグループごとメタデータを抽出できるだけでなく，予め設定された抽出条件等に基づいて，メタデータグループ内の所定のメタデータのみを抽出することもできる。
【０１６８】
さらに，編集用端末装置８０は，かかる抽出したメタデータを，当該映像信号にフレーム単位で同期させて表示することができる。これにより，編集用端末装置８０のオペレータは，映像とともに表示されたメタデータを閲覧しながら，編集用端末装置８０を操作して，実写映像に対して多様な後処理を施すことができる。具体的には，編集用端末装置８０は，例えば，上記実写の映像信号とＣＧ映像信号とを合成するなどといった映像合成処理や，上記実写の映像信号を補正する映像補正処理などを行うことができる。
【０１６９】
このようにして編集用端末装置８０によって後処理された映像信号は，例えば，編集用端末装置８０内の記録装置などに記録される。しかし，かかる例に限定されず，後処理された映像信号は，例えば，編集用端末装置８０に接続された記録用ＶＴＲ（図示せず。）によって新たなビデオテープ等の記憶媒体に記録される，或いは，編集用端末装置８０に接続された後処理用映像サーバ（図示せず。）に記録されるなどしてもよい。
【０１７０】
＜２．２  編集用端末装置の構成＞
次に，図１５に基づいて，本実施形態にかかる編集用端末装置８０の構成について詳細に説明する。なお，図１５は，本実施形態にかかる編集用端末装置８０の概略的な構成を示すブロック図である。
【０１７１】
図１５に示すように，編集用端末装置８０は，ＣＰＵ８００と，メモリ部８０２と，入力部８０４と，表示部８０６と，音声出力部８０８と，外部インターフェース８１０と，記録装置８１１と，メタデータ抽出部８１２と，表示制御部８１４と，映像合成処理部８１６と，映像補正処理部８１８と，を備える。
【０１７２】
ＣＰＵ８００は，演算処理装置および制御装置として機能し，編集用端末装置１０の各部の処理を制御することができる。また，メモリ部８０２は，例えば，ＲＡＭ，ＲＯＭ，フラッシュメモリなどで構成されており，ＣＰＵ８００の処理に関する各種データ，ＣＰＵ８００の動作プログラム等を記憶する機能を有する。
【０１７３】
入力部８０４は，例えば，マウス，キーボード，タッチパネルなどの一般的なＰＣ用入力装置（図示せず。）と，映像編集用入力装置（図示せず。）などから構成されている。この映像編集用入力装置は，例えば，映像再生ボタン，停止ボタン，巻き戻しボタン，早送りボタンなどの各種の編集用ボタンや，映像再生速度を調整したり，再生する映像素材を選択したりするためのジョグダイヤル，レバーなどを備える。編集用端末装置８０のオペレータは，例えば，上記映像編集用入力装置を操作して，映像信号を多様に再生表示したり，後処理したりできる。
【０１７４】
表示部８０４は，ディスプレイ装置であり，例えばＣＲＴモニタやＬＣＤモニタなどで構成される。この表示部８０４は，例えば，映像信号や，当該映像信号に対応するメタデータなどを表示することができる。この表示部８０４は，上記再生用ＶＴＲ９０によって再生された映像信号と，この映像信号から抽出されたメタデータを，フレーム単位で同期させて表示することができるが，詳細は後述する。
【０１７５】
音声出力部１１０は，例えば，スピーカなどの発音装置と音声信号処理装置等から構成されており，上記再生用ＶＴＲによって再生された音声信号に基づいて音声出力することができる。
【０１７６】外部インターフェース８１０は，編集用端末装置１０に例えばＨＤ  ＳＤＩ，ＲＳ−２３２Ｃ，ＵＳＢ，ＳＣＳＩなどのインターフェースで接続された周辺機器との間で，データの送受信を行う部位である。この周辺装置は，例えば，上記再生用ＶＴＲ９０および合成用映像サーバ９２などである。
【０１７７】
記録装置８１１は，例えば，ハードディスクドライブ等で構成されたストレージ装置であり，後処理された映像信号，メタデータ，各種プログラムなどを格納することができる。
【０１７８】
メタデータ抽出部８１２は，上記再生用ＶＴＲ９０によって再生された実写の映像信号から，この映像信号のブランキング領域に１フレーム毎に挿入されているメタデータを抽出することができる。このとき，メタデータ抽出部８１２は，例えば，ブランキング領域に挿入されている全てのメタデータを抽出するのではなく，例えば，特定のメタデータグループのメタデータのみを抽出したり，さらに，当該メタデータグループ内の特定のメタデータのみを抽出したりできる。かかるメタデータの抽出処理時には，メタデータ抽出部８１２は，各メタデータグループに付与されているグループ識別情報「Ｋ」およびデータ量情報「Ｌ」に基づいて，抽出しようとするメタデータグループの位置およびデータ量を把握できるので，必要なメタデータの抽出処理を効率的に行うことができる。
【０１７９】
このような抽出処理では，メタデータ抽出部８１２は，例えば，後処理の内容に応じて，必要なメタデータのみを抽出するように設定されている。
【０１８０】
具体的には，映像合成処理を行う場合において，実写の映像素材とＣＧ映像との間で，映像の色，明るさおよび質感等を調整するときには，例えば，カメラ設定グループ内の必要なカメラ設定メタデータ（撮影時における撮像装置１０のシャッタスピード，ゲイン，ガンマ，ディテール等の設定情報）などが抽出される。また，映像合成処理を行う場合において，実写の映像素材とＣＧ映像との間で，映像の動き等を調整するときには，例えば，レンズ設定グループ内の必要なレンズ設定メタデータ（撮影時におけるレンズ装置１２のズーム，フォーカス，アイリス等の設定情報）や，ドーリ設定グループ内の必要なドーリ設定メタデータ（撮影時におけるドーリ装置１４の移動スピード，カメラ方向（Ｐａｎ，Ｔｉｌｔ，Ｒｏｌｌ）等の情報）などが抽出される。
【０１８１】
また，実写の映像素材の映像補正処理を行う場合には，例えば，カメラ設定グループ内の必要なカメラ設定メタデータ（撮影時における撮像装置１０のシャッタスピード，ゲイン，ガンマ，ディテール等の設定情報）などが抽出される。
【０１８２】
また，メタデータ抽出部８１２は，例えば，上記合成用映像サーバ９２から入力されたＣＧ映像信号にフレーム単位で付加されているＣＧ映像に関するメタデータをも，フレーム単位で抽出することができる。このとき，メタデータ抽出部８１２は，例えば，上記実写の映像信号から抽出される各メタデータ（例えば実写映像のゲイン，ガンマ等）に対応させて，ＣＧ映像信号から各メタデータ（例えばＣＧ映像のゲイン，ガンマ等）を抽出するように設定されている。
【０１８３】
メタデータ抽出部８１２は，上記のようにして抽出したメタデータを，例えば，表示制御部８１４に出力する。
【０１８４】表示制御部８１４は，上記表示部８０６の表示内容（映像信号およびメタデータ等）を制御することができる。具体的には，表示制御部８１４は，例えば，上記メタデータ抽出部８１２によって抽出されたメタデータを，表示用データに変換する処理を施した上で，表示部８０６が，実写の映像信号と当該変換したメタデータとを，フレーム単位で同期して表示するように制御することができる。
【０１８５】この表示制御部８１４によるメタデータの変換処理について，より詳細に説明すると，まず，表示制御部８１４は，例えば，上記メタデータ抽出部８１２によって１フレームごとに抽出されたメタデータをデコードして，解釈する。次いで，表示制御部８１４は，例えば，解釈したメタデータを，閲覧しやすいような表形式等に変換する。
【０１８６】表示制御部８１４は，例えば，このように変換処理したメタデータを，実写の映像信号に応じて１フレーム毎に更新しながら，実写の映像信号とともに表示するように，表示部８０６を制御することができる。これにより，表示部８０６は，実写の映像信号およびメタデータをフレーム単位で同期させて表示することができる。
【０１８７】このため，編集端末装置８０のオペレータは，例えば，実写の映像とともに，表形式に整理されたメタデータを閲覧することができるので，後処理しようとする映像素材の映像の画質や動きを，客観的かつ正確に把握することができる。
【０１８８】さらに，例えばＣＧ合成処理が行われる場合には，表示制御部８１４は，例えば，上記のような実写の映像信号およびこれに対応するメタデータに加えて，ＣＧ映像信号およびこれに対応するメタデータ（ＣＧデータ）をも，フレーム単位で同期させて表示するように制御することができる。
【０１８９】また，例えば映像補正処理が行われる場合には，表示制御部８１４は，例えば，上記のような実写の映像信号およびこれに対応するメタデータに加えて，映像補正後の映像信号およびこれに対応するメタデータをも表示するように制御することができる。
【０１９０】
映像合成処理部８１６は，例えば，オペレータの入力に基づいて，上記再生された実写の映像信号と，合成用映像信号とを合成する映像合成処理を行うことができる。より詳細には，映像合成処理部８１６は，例えば，オペレータの操作に基づいて，上記再生用ＶＴＲ９０から入力された実写の映像信号と，上記合成用映像サーバ９２から入力されたＣＧ映像信号とを，例えばキー信号を利用して合成することができる。このとき，合成される実写の映像信号は，フォアグラウンドまたはバックグラウンドのいずれであってもよい。
【０１９１】
この映像合成処理部８１６によって映像合成処理が実行されるときには，例えば，上記のように，表示部８０６の表示画面上には，実写映像およびＣＧ映像が，それぞれに対応するメタデータとともに見やすいレイアウトで表示される。このため，オペレータは，例えば，実写の映像とＣＧ映像とを対比しながら，さらに，実写の映像のメタデータとＣＧデータとを対比することができる。従って，例えば，双方のメタデータの値を合わせるようにＣＧ映像の画質や動きを調整した上で実写映像に合成できるので，ＣＧ合成処理を客観的かつ好適に実行することができる。
【０１９２】
映像補正処理部８１８は，例えば，オペレータの入力に基づいて，上記再生された実写の映像信号を補正する映像補正処理を行うことができる。より詳細には，映像補正処理部８１８は，例えば，オペレータの操作に基づいて，上記再生用ＶＴＲ９０から入力された実写の映像信号に対して，映像の一部を追加，削除，変更する処理をしたり，背景を変える処理をしたり，画質等の調整処理を施したりして，映像補正することができる。
【０１９３】
この映像補正処理部８１８によって映像補正処理が実行されるときには，例えば，上記のように，表示部８０６の表示画面上には，実写映像および補正後の映像が，それぞれに対応するメタデータとともに見やすいレイアウトで表示される。このため，オペレータは，例えば，実写の映像と補正後の映像とを対比しながら，さらに，実写の映像のメタデータと補正後の映像のメタデータとを対比することができる。従って，双方のメタデータのレベル差等を参照しながら，実写映像を補正できるので，映像補正処理を客観的かつ好適に実行することができる。
【０１９４】
以上，編集用端末装置８０の各部に着ついて説明した。なお，上記のようなメタデータ合抽出部８１２，表示制御部８１４，映像合成処理部８１６，映像補正処理部８１８などは，上記のような処理機能を実現できるものであれば，例えば，専用装置（ハードウェア）として構成されてもよいし，或いは，コンピュータ等の編集用端末装置８０に上記処理を実行させるアプリケーションプログラムをインストールしてソフトウエアとして構成されてもよい。
【０１９５】
＜２．３  映像編集装置の処理方法＞
次に，図１６に基づいて，上記のような映像編集装置３の処理方法について説明する。なお，図１６は，本実施形態にかかる映像編集装置３の処理方法を示すフローチャートである。以下では，例えば，ＣＧ合成処理の処理フローの具体例を挙げて説明するが，かかる例に限定されるものではない。
【０１９６】
図１６に示すように，まず，ステップＳ１００では，再生用ＶＴＲ９０によって実写映像が再生されるとともに，合成用映像サーバ９２によってＣＧ映像が読み出される（ステップＳ１００）。再生用ＶＴＲ９０は，例えば，編集用端末用装置３０からの指示に基づいて，映像記録システム１によって映像素材が収録されているビデオテープ５２から，所定の実写の映像信号を再生して，編集用端末装置８０に出力する。一方，合成用映像サーバ９２は，例えば，編集用端末用装置３０からの指示に基づいて，貯蔵しているＣＧ映像信号のうち，上記再生された実写の映像信号に合成するための所定のＣＧ映像信号を読み出して，編集用端末装置８０に出力する
次いで，ステップＳ１０２では，編集用端末装置８０によって映像信号に付加されているメタデータの少なくとも一部が抽出される（ステップＳ１０２）。編集用端末装置８０のメタデータ抽出部８１２は，例えば，再生された実写の映像信号のブランキング領域に挿入されているメタデータを，１フレーム毎に抽出して，デコード等する。この抽出時には，メタデータ抽出部８１２は，例えば，オペレータによって指定された抽出条件に基づいて，実写の映像信号に付加されている多様なメタデータから，ＣＧ合成処理内容に応じた必要なメタデータのみを，メタデータグループ単位あるいは個々のメタデータ単位で選択して抽出できる。
【０１９７】
また，メタデータ抽出部８１２は，例えば，上記抽出処理と同時に，ＣＧ映像信号にフレーム単位で付加されているＣＧ用のメタデータをも，１フレーム毎に抽出する。このとき，メタデータ抽出部８１２は，例えば，上記実写の映像信号から抽出されるメタデータに対応するＣＧ映像信号のメタデータを抽出する。
【０１９８】
さらに，ステップＳ１０４では，映像信号とメタデータがフレーム単位で同期して表示される（ステップＳ１０４）。表示制御部８１４は，例えば，実写の映像信号と，上記のように抽出されたメタデータとを，１フレーム毎に同期させて，表示部８０６に表示させる。これと同時に，表示制御部８１４は，例えば，ＣＧ映像信号と，上記のように抽出されたＣＧ用のメタデータとを，１フレーム毎に同期させて，表示部８０６に表示させる。
【０１９９】
その後，ステップＳ１０６では，ＣＧ合成処理が実行される（ステップＳ１０６）。編集用端末装置８０のオペレータは，例えば，上記のように表示部８０６に表示された実写映像およびメタデータ，並びにＣＧ映像およびＣＧ用メタデータを閲覧しながら，合成するＣＧ映像の画質や動きを補正して，双方の映像を合成する操作を行う。映像合成処理部８１６は，例えば，かかるオペレータの操作に基づいて，ＣＧ映像信号を補正処理した上で，実写の映像信号と補正後のＣＧ映像信号とを合成した映像信号を生成する。
【０２００】
ここで，図１７及び図１８に基づいて，上記のようなＣＧ合成処理時において編集用端末装置８０の表示部８０６に表示される映像およびメタデータの具体例について説明する。なお，図１７は，ＣＧ合成処理でのＣＧ映像の画質調整時において編集用端末装置８０の表示部８０６に表示される映像およびメタデータの具体例を示す説明図である。また，図１８は，ＣＧ合成処理でのＣＧ映像の動き調整時において編集用端末装置８０の表示部８０６に表示される映像およびメタデータの具体例を示す説明図である。
【０２０１】
図１７に示すように，表示部８０６の表示画面８０７には，例えば，フォアグラウンドとして「サバンナを歩くライオン」の実写映像が表示されている。また，この実写映像の下部には，当該実写映像のフレームに対応するカメラ設定メタデータが表示されている。より詳細には，例えば，カメラ設定グループの「レコーダステータス」，「シャッタスピード」，「ゲイン」，「ガンマ」，「ディテールレベル」，「ニーポイント」などの項目の値が，表形式で表示されている。
【０２０２】
さらに，表示画面８０７には，例えば，バックグラウンドとして「宇宙空間の風景」のＣＧ映像が表示されている。また，このＣＧ映像の下部には，当該ＣＧ映像のフレームに対応するＣＧ用メタデータが表示されている。このＣＧ用メタデータの項目は，上記実写映像のカメラ設定メタデータの項目に対応するものとなっている。
【０２０３】
このような実写映像とＣＧ映像を合成して「宇宙空間を歩くライオン」の映像を作成するために，オペレータは，まず，ＣＧ映像の画質（色，明るさ，質感等）を補正する処理を行う。具体的には，オペレータは，例えば，ＣＧ映像の画質が実写映像の画質に合うように，ＣＧ映像のガンマ，ディテール，ニーポイント等の値を補正する処理を行う。このとき，オペレータは，実写映像のカメラ設定メタデータとＣＧ用メタデータとを見比べながら，補正処理を行うことができるので，各パラメータの補正の度合いを客観的に判断して，高精度で画質調整することができる。
【０２０４】
次いで，オペレータは，ＣＧ映像の動きを補正する処理を行うために，表示部８０６に表示するメタデータグループが切り替えられる。かかる切り替えにより，表示部８０６の表示画面８０７には，図１８に示すように，上記と同様の実写映像の下部に，当該実写映像のフレームに対応するレンズ設定メタデータ及びドーリ設定メタデータが表示される。より詳細には，例えば，レンズ設定グループの「ズーム」，「フォーカス」，「アイリス」，ドーリ設定グループの「カメラ方向（Ｐａｎ，Ｔｉｌｔ，Ｒｏｌｌ）」が表示される。また，ＣＧ映像の下部には，この実写映像のレンズ設定メタデータ及びドーリ設定メタデータに対応した項目のＣＧ用メタデータが表示される。
【０２０５】
このようなメタデータが表示されると，オペレータは，ＣＧ映像の動きを補正する処理を行う。具体的には，オペレータは，例えば，ＣＧ映像の動きが実写映像の動きに合うように，ＣＧ映像のズーム，フォーカス，アイリスや，カメラ方向などを補正する処理を行う。このとき，オペレータは，実写映像のレンズおよびドーリ設定メタデータとＣＧ用メタデータとを見比べながら，補正処理を行うことができるので，双方の映像の動きに関するパラメータを客観的に判断して，高精度でＣＧ映像の動きを調整することができる。
【０２０６】
次に，図１９に基づいて，映像補正処理時において編集用端末装置８０の表示部８０６に表示される映像およびメタデータの具体例について説明する。図１９は，映像補正処理時において編集用端末装置８０の表示部８０６に表示される映像およびメタデータの具体例を示す説明図である。なお，以下では，映像補正処理の具体例として，例えば，昼間に撮影された実写映像の画質を変化させることにより，夜の映像に補正する処理について説明する。
【０２０７】
図１９に示すように，表示部８０６の表示画面８０７には，例えば，補正前の映像として「昼のサバンナを歩くライオン」の実写映像が表示されている。また，この実写映像の下部には，当該実写映像のフレームに対応するカメラ設定メタデータが表示されている。より詳細には，例えば，カメラ設定グループの「シャッタスピード」，「ゲイン」，「ガンマ」，「ディテールレベル」，「ニーポイント」。「ニースロープ」などの項目の値が，表形式で表示されている。
【０２０８】
さらに，表示画面８０７には，例えば，補正後の映像として「夜のサバンナを歩くライオン」の映像が表示されている。また，この補正後の映像の下部には，当該補正後の映像のフレームに対応するカメラ設定メタデータが表示されている。
【０２０９】
このように，補正前の実写映像と補正後の映像とを並べて表示するとともに，補正前の実写映像のカメラ設定メタデータと，補正後の映像のカメラ設定メタデータとを並べて表示することで，オペレータは，双方の映像間におけるカメラ設定メタデータの各項目のレベル差を判断材料として，好適に映像補正処理を実行することができる。具体的には，オペレータは，例えば，補正後の映像が好適な夜の映像となるように，実写映像のガンマ，ディテール，ニーポイント等の値を調整して，実写映像を補正する処理を行う。このとき，オペレータは，補正前と補正後のカメラ設定メタデータの各項目を見比べながら，補正処理を行うことができるので，各項目を増減させる度合いを客観的に判断して，高精度で画質調整することができる。
【０２１０】
また，図１９に示したような映像補正処理では，例えば，実写映像の「太陽」の部分を削除して，「月」の映像を挿入する補正処理も成されている。このように映像補正処理では，実写映像にあったものを削除したり，実写映像に無かったものを追加したりすることもできる。
【０２１１】
以上説明したように，上記映像編集装置３及びこの処理方法によれば，メタデータがフレーム単位で付加された映像信号を利用して，当該映像信号の後処理に必要なメタデータを好適に抽出・表示することができる。このため，かかる映像編集装置３を用いることで，映像素材を好適に後処理することができる。
【０２１２】
即ち，上記映像記録システム１で映像素材が収録された記憶媒体５２には，映像素材とその映像素材に関するメタデータとがフレーム単位で直接的にリンクされて記録されている。映像編集装置３は，かかる映像素材を再生して，再生された映像素材に直接付随しているメタデータを抽出することができる。このため，従来のように，映像素材とは別に記録されているメタデータにアクセスして，読み出し，さらにタイムコードを用いて映像素材とメタデータとの時間合わせを行うといった必要がない。従って，映像とメタデータとを一体的に取り扱うことができるので，映像素材の後処理に必要なメタデータを，迅速かつ容易に抽出することができる。
【０２１３】
さらに，抽出したメタデータを当該映像素材とフレーム単位で同期させて好適に表示することができる。このため，オペレータは，映像とともに，映像に対応するメタデータをフレーム単位で閲覧できるので，映像素材の画質，動き等を客観的かつ正確に把握できる。
【０２１４】
また，映像素材とメタデータがフレーム単位でリンクされて記録されているので，例えば，映像素材の粗編集処理などで，映像素材がＩｎ点およびｏｕｔ点で切り出されたとしても，対応する部分のメタデータも当該映像素材に付随して切り出される。このため，映像素材とメタデータとの整合性をとらなくても，映像素材と同期させてメタデータを連続的に抽出・表示することができる。このため，当該編集後の映像素材であっても，メタデータを迅速かつ容易に抽出して，後処理に活用することができる。
【０２１５】
また，撮像装置１０が可変速撮影処理することで，記録された映像信号のフレームレートが変化している場合であっても，当該映像信号に対してフレーム単位でメタデータが付加されているので，単位時間当たりの映像信号のフレーム数とメタデータの記録数との間にずれが生じることがない。よって，このような可変速撮影された映像信号を後処理する場合であっても，映像素材からメタデータをフレーム単位で抽出して表示することができる。上記のように，映像編集装置３は，編集処理や可変速撮影された映像素材にも柔軟に対応することができる。
【０２１６】
また，上記のように各種のメタデータがその利用目的に応じてグループ化されて，映像信号に付加されている。このため，必要なメタデータを，メタデータグループ単位で，迅速かつ容易に抽出して表示することができる。
【０２１７】
また，ＣＧ合成処理等の映像合成処理を行う場合には，例えば，カメラ設定メタデータを抽出して表示することで，オペレータは，映像素材の画質（明るさ，色合い，質感等）を的確に把握でき，一方，例えば，レンズおよびドーリ設定メタデータを抽出して表示することで，撮影時における撮像装置１０および被写体の動き等を的確に把握できる。さらに，合成されるＣＧ映像のメタデータを実写映像のメタデータと同時に表示することで，ＣＧ映像の画質や動きを客観的に把握して，当該ＣＧ映像を的確に補正することができる。
【０２１８】
また，映像補正処理を行う場合には，例えば，カメラ設定メタデータを抽出して表示することで，オペレータは，映像素材の画質（明るさ，色合い，質感等）を的確に把握して，好適に映像補正することができる。
【０２１９】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０２２０】
例えば，上記実施形態にかかる映像記録システム１では，撮像装置１０がカメラ設定メタデータを映像信号に付加したが，かかる例に限定されない。例えば，図２０に示すように，映像記録システム１では，例えばＣＣＵ２０が撮像装置１０から取得したカメラ設定メタデータを，ＲＳ−２３２Ｃケーブル等を介して映像信号とは別の経路でメタデータ付加装置４０に出力するように構成し，システム内で生成される例えばシーン情報メタデータ，レンズ設定メタデータ，ドーリ設定メタデータおよびカメラ設定メタデータの全てを，メタデータ付加装置４０に集合させ，メタデータ付加装置４０が，これらのメタデータをまとめて映像信号に付加するように構成してもよい。かかる構成により，例えば，メタデータを付加する機能を有していない撮像装置１０を用いた場合などにも，映像信号に対してフレーム単位ですべてのメタデータを付加することができる。
【０２２１】
例えば，上記実施形態にかかる映像記録システム１では，メタデータ付加装置４０は，撮像装置１０，ＣＣＵ２０およびＶＴＲ５０等とは，別体のハードウェアとして構成されていたが，本発明は，かかる例に限定されない。例えば，メタデータ付加装置４０は，撮像装置１０，ＣＣＵ２０またはＶＴＲ５０等のいずれか１つまたは複数に内蔵されるように構成してもよい。また，メタデータ合成装置４０は，例えば，ＶＴＲ５０等に内蔵されるように構成してもよい。このように，メタデータ付加装置４０やメタデータ合成装置６０をＶＴＲ５０または撮像装置１０などに内蔵することにより，システム内の機器数を低減し，機器間の接続の手間等を省力化することができる。
【０２２２】
また，撮像装置１０を，例えば，映像信号を記憶媒体に記録する機能を備えた撮像装置（カムコーダ等）として構成してもよい。これにより，撮像装置１０が，例えば，上記ＣＣＵ２０，メタデータ付加装置４０およびＶＴＲ５０等の全ての機能を備えるように構成することもできる。
【０２２３】
また，上記実施形態では，レンズ装置１２が生成したレンズ設定メタデータは，ＲＳ−２３２Ｃケーブル等を介して出力され，メタデータ付加装置４０で映像信号に付加されたが，本発明はかかる例に限定されない。例えば，撮像装置１０本体との間でレンズの設定情報等を通信可能なレンズ装置１２を採用して，レンズ装置１２から撮像装置１０本体に対して，レンズ設定メタデータ等を直接入力するように構成してもよい。これにより，撮像装置１０のメタデータ付加部１１２が，例えば，カメラ設定メタデータのみならず，レンズ装置１２から取得したレンズ設定メタデータをも映像信号に付加するように構成することもできる。
【０２２４】
また，上記実施形態では，機器間で各種メタデータ等の通信を行うインターフェースとして，ＲＳ−２３２ＣやＨＤＳＤＩ等を採用していたが，かかる例に限定されず，例えば，ＵＳＢ（Ｕｎｉｖｅｒｓａｌ  Ｓｅｒｉａｌ  Ｂｕｓ），ＳＣＳＩ（Ｓｍａｌｌ  Ｃｏｍｐｕｔｅｒ  Ｓｙｓｔｅｍ  Ｉｎｔｅｒｆａｃｅ），シリアルＳＣＳＩ，ＧＰ−ＩＢ（Ｇｅｎｅｒａｌ  Ｐｕｒｐｏｓｅ  Ｉｎｔｅｒｆａｃｅ  Ｂｕｓ）などの各種のインターフェースを利用してもよい。また，上記機器間では，有線通信に限られず，例えば，無線通信によりメタデータ及び／又は映像信号等を伝送してもよい。
【０２２５】
また，上記実施形態では，映像記録システム内で生成される各種のメタデータは，シーン情報グループ，カメラ設定グループ，レンズ設定グループ，ドーリ設定グループからなる４つメタデータグループにグループ分けされていたが，本発明はかかる例に限定されない。例えば，レンズ設定グループとドーリ設定グループとを１つにまとめて，レンズ・ドーリ設定グループするなど，上記４つのメタデータグループをその利用目的に応じて任意に組み合わせても良い。また，上４つのメタデータグループの全てを設ける必要もなく，例えば，上記のうちの１つ以上のメタデータグループを設けるようにしても良い。
【０２２６】
また，上記以外の新たなメタデータグループを設けてもよい。具体的には，例えば，音声情報グループを設け，この音声情報グループ内に，録音方式情報（ステレオ，モノラル，サラウンド等），録音内容情報（マイク１は背景音を録音し，マイク２は俳優の音声を録音している等）などの音声関連情報メタデータをグループ化してもよい。
【０２２７】
また，上記実施形態にかかる映像記録システム１は，メタデータ合成装置６０および表示装置７０を備えていたが，かかる例に限定されず，これらの装置は必ずしも具備されなくてもよい。
【０２２８】
また，上記実施形態にかかる映像編集装置３は，再生用ＶＴＲ９０を１台具備していたが，かかる例に限定されず，例えば，複数台の再生用ＶＴＲ９０を具備するようにしてもよい。これにより，複数台の再生用ＶＴＲ５０で複数種類の実写の映像信号を再生して，編集用端末装置８０に出力することで，編集用端末装置８０は実写の映像信号同士を合成することもできるようになる。この際，それぞれの実写の映像信号に関連するメタデータを，各映像信号に同期させて表示するようにしてもよい。
【０２２９】
また，上記実施形態では，映像編集装置３は，編集用端末装置８０，再生用ＶＴＲ９０および合成用映像サーバ９２から構成されていたが，本発明はかかる例に限定されない。例えば，映像編集装置３は，これら３つの機器が一体化されたハードウェアとして構成されもよい。また，映像編集装置３は，上記以外にも記録用ＶＴＲまたは記録用サーバなどを別途備えても良い。
【０２３０】
また，映像編集装置３は，上記のような後処理のみならず，例えば，粗編集処理や本編集処理などといった各種の編集処理を実行可能な総合的な編集装置として構成されてもよい。
【０２３１】
また，上記実施形態では，映像素材の後処理の例として，ＣＧ合成処理等の映像合成処理や映像補正処理等について説明したが，かかる例に限定されず，編集用端末装置８０は，例えば，上記以外にも各種の後処理を実行できるように構成してもよい。具体的には，編集用端末装置８０は，例えば，映像素材の異常映像部分（例えば，過度のノイズを含む部分，輝度または色合いが異常な部分など）を削除する機能や，字幕データまたはＣＧ静止画像データ等を映像素材にスーパーインポーズする機能，映像素材をフェードイン・アウトさせる機能などを備えてもよい。
【０２３２】
【発明の効果】
以上説明したように，本発明にかかる映像編集装置は，メタデータがフレーム単位で直接的に付加された映像素材から，映像素材の後処理に必要なメタデータを容易かつ迅速に抽出して，当該メタデータおよび映像素材をフレーム単位で同期させて表示することができる。また，メタデータと映像素材を一体的に取り扱うことができる。さらに，映像素材が編集によりカットされた場合や，映像素材が可変速撮影されている場合などにも，柔軟に対応してメタデータを抽出・表示することができる。このため，オペレータは，かかる映像編集装置を用いて，映像素材の後処理を好適に行うことができる。
【図面の簡単な説明】
【図１】図１は，第１の実施形態にかかる映像記録システムの概略的な構成を示すブロック図である。
【図２】図２は，第１の実施形態にかかるシーン情報グループに含まれるシーン情報メタデータの具体例を示す説明図である。
【図３】図３は，第１の実施形態にかかるカメラ設定グループに含まれるカメラ設定メタデータの具体例を示す説明図である。
【図４】図４は，第１の実施形態にかかるレンズ設定グループに含まれるレンズ設定メタデータの具体例を示す説明図である。
【図５】図５は，第１の実施形態にかかるドーリ設定グループに含まれるカメラ設定メタデータの具体例を示す説明図である。
【図６】図６は，第１の実施形態にかかるメタデータフォーマットを説明するための説明図である。
【図７】図７は，第１の実施形態にかかる撮像装置の構成を示すブロック図である。
【図８】図８は，第１の実施形態にかかる映像信号にメタデータを付加する態様を説明するための説明図である。
【図９】図９は，第１の実施形態にかかるカメラコントロールユニットの構成を示すブロック図である。
【図１０】図１０は，第１の実施形態にかかるメタデータ付加装置の構成を示すブロック図である。
【図１１】図１１は，第１の実施形態にかかるビデオテープレコーダの構成を示すブロック図である。
【図１２】図１２は，第１の実施形態にかかるメタデータ合成装置の構成を示すブロック図である。
【図１３】図１３は，第１の実施形態にかかる映像記録方法を説明するためのタイミングチャートである。
【図１４】図１４は，第１の実施形態にかかる映像編集装置の概略的な構成を示すブロック図である。
【図１５】図１５は，第１の実施形態にかかる編集用端末装置の概略的な構成を示すブロック図である。
【図１６】図１６は，第１の実施形態にかかる映像編集装置の処理方法を示すフローチャートである。
【図１７】図１７は，第１の実施形態にかかるＣＧ合成処理でのＣＧ映像の画質調整時において，編集用端末装置の表示部に表示される映像およびメタデータの具体例を示す説明図である。
【図１８】図１８は，第１の実施形態にかかるＣＧ合成処理でのＣＧ映像の動き調整時において，編集用端末装置の表示部に表示される映像およびメタデータの具体例を示す説明図である。
【図１９】図１９は，第１の実施形態にかかる映像補正処理時において，編集用端末装置の表示部に表示される映像およびメタデータの具体例を示す説明図である。
【図２０】図２０は，変更例にかかる映像記録システムの概略的な構成を示すブロック図である。
【符号の説明】
１  ：  映像記録システム
３  ：  映像編集装置
１０  ：  撮像装置
１２  ：  レンズ装置
１４  ：  ドーリ装置
１８  ：  集音装置
２０  ：  カメラコントロールユニット
３０  ：  メタデータ入力用端末装置
４０  ：  メタデータ付加装置
５０  ：  ビデオテープレコーダ
５２  ：  ビデオテープ
６０  ：  メタデータ合成装置
７０  ：  表示装置
８０  ：  編集用端末装置
９０  ：  再生用ビデオテープレコーダ
９２  ：  合成用映像サーバ
１０４  ：  撮像部
１０８  ：  表示部
１１０  ：  カメラ設定メタデータ生成部
１１２  ：  メタデータ付加部
１２６  ：  レンズ設定メタデータ生成部
１４４  ：  ドーリ設定メタデータ生成部
４０３  ：  メタデータバッファメモリ
４０６  ：  メタデータパッキング部
４０８  ：  メタデータエンコーダ
４１０  ：  メタデータ挿入部
５０６  ：  信号処理部
５０８  ：  メタデータデコーダ
５１４  ：  メタデータエンコーダ
６０６  ：  メタデータ抽出部
６０８  ：  メタデータデコーダ
６１０  ：  メタデータ映像生成部
６１２  ：  メタデータ映像合成部
８０６  ：  表示部
８０７  ：  表示画面
８１２  ：  メタデータ抽出部
８１４  ：  表示制御部
８１６  ：  映像合成処理部
８１８  ：  映像補正処理部
【図１】
2004312281.tif 000003
【図２】
2004312281.tif 000004
【図３】
2004312281.tif 000005
【図４】
2004312281.tif 000006
【図５】
2004312281.tif 000007
【図６】
2004312281.tif 000008
【図７】
2004312281.tif 000009
【図８】
2004312281.tif 000010
【図９】
2004312281.tif 000011
【図１０】
2004312281.tif 000012
【図１１】
2004312281.tif 000013
【図１２】
2004312281.tif 000014
【図１３】
2004312281.tif 000015
【図１４】
2004312281.tif 000016
【図１５】
2004312281.tif 000017
【図１６】
2004312281.tif 000018
【図１７】
2004312281.tif 000019
【図１８】
2004312281.tif 000020
【図１９】
2004312281.tif 000021
【図２０】
2004312281.tif 000022